(57)【要約】【課題】糸状体を巻き癖が付くことなく保持し、巻かれた糸状体の拡がりを抑えて円滑に引き出すことができる糸巻の提供。【解決手段】この糸巻１１は、ベースプレート１４と、これに嵌め込まれる補助プレート９８、９９とを備える。ベースプレート１４は、センタプレート５３とサイドプレート９４、９５を有する。各サイドプレート９４、９５に一対の糸掛ボス１５、１６が設けられている。糸状体１２は、糸掛ボス１５と糸掛ボス１６との間に８の字を描くように巻き取られる。サイドプレート９４、９５の縁部から補助プレート９８、９９の縁部に向かって堤部２５５、２５６が延びている。補助プレート９８、９９の縁部からサイドプレート９４、９５の縁部に向かって堤部２５７、２５８が延びている。【選択図】図３３
2009201508.tif 000002
【特許請求の範囲】
【請求項１】
センタプレート及び当該センタプレートの両側に連続する一対のサイドプレートを有し、センタプレートと各サイドプレートとの境界で屈曲されることによって各サイドプレートが対向する折畳姿勢と各サイドプレートが離反する展開姿勢との間で姿勢変化するベースプレートと、
ベースプレートが折畳姿勢となった状態で端面同士が対向するように各サイドプレートに設けられた一対の糸掛ボスと、
各糸掛ボスの端面に固定されると共に当該端面から上記センタープレート側へ延設されてベースプレートに固定された一対の補助プレートとを有し、
当該補助プレートは、上記各糸掛ボスの中心を結ぶ仮想中心線と平行に配置された仮想切断線に沿って切断されることによって真直な切断縁が形成されている糸巻。
【請求項２】
センタプレート及び当該センタプレートの両側に連続する一対のサイドプレートを有し、センタプレートと各サイドプレートとの境界で屈曲されることによって各サイドプレートが対向する折畳姿勢と各サイドプレートが離反する展開姿勢との間で姿勢変化するベースプレートと、
ベースプレートが折畳姿勢となった状態で端面同士が対向するように各サイドプレートに設けられた一対の糸掛ボスと、
各糸掛ボスの端面に設けられると共に当該端面から上記センタープレート側へ延設されてベースプレートに固定された一対の補助プレートと、
上記サイドプレートの縁部又は上記補助プレートの縁部のうちいずれか一方の縁部から他方の縁部に向かって延びる第１堤部とを備える糸巻。
【請求項３】
上記第１堤部は、当該第１堤部の先端が上記他方の縁部に接触するように設けられている請求項２に記載の糸巻。
【請求項４】
上記第１堤部は、上記糸掛ボスを中心とする円弧状に形成された突条から構成されている請求項２又は３に記載の糸巻。
【請求項５】
上記サイドプレートの側部に第２堤部がさらに設けられている請求項２から４のいずれかに記載の糸巻。
【請求項６】
上記第１堤部に隣設され、上記サイドプレートの縁部又は上記補助プレートの縁部のうち上記第１堤部が設けられた一方の縁部に向かって他方の縁部から延びる第３堤部がさらに設けられている請求項２から５のいずれかに記載の糸巻。
【請求項７】
上記第３堤部は、当該第３堤部の先端が上記一方の縁部に接触するように設けられている請求項６に記載の糸巻。
【請求項８】
上記第３堤部は、上記糸掛ボスを中心とする円弧状に形成された突条から構成されている請求項６又は７に記載の糸巻。
【請求項９】
上記第１堤部と上記第３堤部とが隣り合うことによって対向する当該第１堤部の側面及び当該第３堤部の側面は、上記サイドプレートに直交する方向に対して傾斜している請求項６から８のいずれかに記載の糸巻。
【発明の詳細な説明】
【技術分野】
【０００１】
本発明は、釣糸その他の長尺の糸状体を保持する糸巻の構造に関するものである。
【背景技術】
【０００２】
糸状体として典型的には釣糸が例示される。釣糸は、従来から所定の長さ（例えば５０ｍ〜１５０ｍ程度）に裁断されて市販されている。長尺の釣糸は取り扱いに不便であることから、通常、釣糸は糸巻に巻き取られた状態で販売される（例えば、特許文献１〜特許文献１４参照）。一般に、糸巻は単一の円筒状のコアと、このコアの両端に形成されたフランジとを有しており、コアに所定長さの釣糸が巻き付けられている。また、糸巻に釣糸を巻き付ける装置も従来から提供されている（例えば、特許文献１５〜特許文献２５参照）。このような糸巻装置は、釣糸に一定のテンションを発生させた状態で当該釣糸を上記コアに巻き取るようになっている。
【０００３】
ところで、長尺の釣糸が単一の円筒状コアに一方向にのみ巻き取られた場合には、当該釣糸に巻き癖がつくおそれがある。巻き癖がついた釣糸は使用時に螺旋状に変形し、釣人にとって非常に使いにくいものとなる。このような不都合が解消されるために、例えば特許文献２６に開示された糸巻が提供されている。この糸巻は、ほとんど巻き癖をつけることなく釣糸を巻き取ることができるようになっている。具体的には、特許文献２６に開示された糸巻は、一対の円筒状の糸掛ボスを有している。長尺の釣糸は、これら一対の糸掛ボス間に８の字を描くように巻き掛けられる。そして、このように８の字を呈するように形成された釣糸がその中央部（釣糸同士が交差する部位）で折り曲げられ、全体として略円形に巻回された状態で（いわゆる蜷局状を成して）当該糸巻に保持される。
【０００４】
図３６は、従来の糸巻の分解斜視図である。従来の糸巻の構造が詳述される。
【０００５】
この糸巻５０１は、内フレーム５０２と外フレーム５０３とを有する。釣糸５０４は内フレーム５０２に巻き取られており、この内フレーム５０２が外フレーム５０３に収容される。釣糸５０４の端部５０５は、外フレーム５０３に設けられた挿通孔５０６から外部へ導かれている。釣人は、外フレーム５０３を一方の手に持ち、他方の手で釣糸５０４の端部５０５を把持して引っ張ることにより、所望の長さの釣糸５０４を取り出すことができる。
【０００６】
図３７は従来の糸巻の内フレームが展開された状態の斜視図であり、図３８は釣糸が巻き付けられた状態の平面図である。
【０００７】
これらの図が示すように、内フレーム５０２はベースプレート５０７を有し、このベースプレート５０７に一対の糸掛ボス５０８、５０９が設けられている。これら糸掛ボス５０８、５０９を覆うように、それぞれフランジ５１０、５１１が設けられている。各フランジ５１０、５１１の端部５１２、５１３は、ベースプレート５０７に固定されている。釣糸５０４の基端５１８（図３８参照）は、ベースプレート５０７の所定位置に固定される。図３８が示すように、釣糸５０４は、糸掛ボス５０８と糸掛ボス５０９とに交互に巻き掛けられ、８の字を呈するように形成される。この状態でベースプレート５０７が中央部で折り曲げられることにより（図３６参照）、結果として長尺の釣糸が略円形に巻回された状態で外フレーム５０２に収容されるようになっている。
【０００８】
釣糸５０４は、糸巻５０１に巻き取られた状態で製品として販売される。釣人が釣糸５０４を使用するときは、前述のように釣糸５０４の端部５０５を引っ張る。これにより、内フレーム５０２に巻き取られた釣糸５０４が順にほどけて糸巻５０１から引き出されるようになっている。そして、特許文献２６によれば、釣糸５０４は前述のように８の字を描くように内フレーム５０２の糸掛ボス５０８、５０９に巻き掛けられているから、釣糸５０４に巻き癖がつくことがなく、したがって、糸巻５０１から引き出された釣糸５０４は、真直な状態を維持し、釣人にとって非常に使いやすくなるとされている。
【先行技術文献】
【特許文献】
【０００９】
【特許文献１】特開２００６−２３０２０７号公報
【特許文献２】特開２００６−２２３１２７号公報
【特許文献３】特開２００５−３０４３５８号公報
【特許文献４】特開２００５−２１８４４６号公報
【特許文献５】特開２００５−２１８３３４号公報
【特許文献６】特開２００５−０００１５１号公報
【特許文献７】特開２００４−３１３１５０号公報
【特許文献８】特開２００４−２１５６３７号公報
【特許文献９】特開２００４−２１５６３６号公報
【特許文献１０】特開２００３−００９７４２号公報
【特許文献１１】特開２００２−３７０８７１号公報
【特許文献１２】特開２００２−３６９６４６号公報
【特許文献１３】特開２００２−１７１８８７号公報
【特許文献１４】特開２００１−２９９１７３号公報
【特許文献１５】特開２００２−０９５３９９号公報
【特許文献１６】特開２００２−０８４９４３号公報
【特許文献１７】特開２００１−１５１２０６号公報
【特許文献１８】特開２００１−１４８９８７号公報
【特許文献１９】特開２００１−１１４４７１号公報
【特許文献２０】特開平１１−１８０６４１号公報
【特許文献２１】特開平１１−００５６７１号公報
【特許文献２２】特開平１０−１０９８２４号公報
【特許文献２３】特開平１０−１０９８２２号公報
【特許文献２４】特開平９−１８８４７５号公報
【特許文献２５】特開平７−１３７９３３号公報
【特許文献２６】特許第３８９９１１７号公報
【発明の概要】
【発明が解決しようとする課題】
【００１０】
本願出願人は、引用文献２６に記載された糸巻を試作し、これに釣糸を巻いて引き出す試験を繰り返し行うことにより、釣糸が８の字状に巻かれた糸巻の研究を行った。それによれば、釣糸５０４が糸巻５０１から引き出される際に、次のような問題があることが判明した。
【００１１】
まず、糸掛ボス５０８、５０９の周りに巻き掛けられた釣糸５０４は、その剛性により糸掛ボス１５、１６を中心にして外側へ拡がる傾向にある。そのため、釣糸５０４が引き出されると、ループ状に形成された釣糸５０４が一気に解けてしまう場合がある。また、釣糸５０４は、糸掛ボス５０８、５０９に幾重にもループ状に巻き掛けられていることから、一のループが解ける際にこれと隣り合う釣糸５０４が一緒に連れられて引き出されることもある。このような場合、内フレーム５０２内で釣糸５０４が縺れてしまうおそれがある。
【００１２】
さらに、釣糸５０４は、図３８が示す要領で内フレーム５０２の糸掛ボス５０８、５０９に巻き掛けられ、且つ図３６が示すように内フレーム５０２が折り畳まれることによって糸巻５０１内で保持されている。そのため、釣糸５０４が糸巻５０１から引き出される際に、釣糸５０４は、フランジ５１０、５１１の周縁に対して摺動しながらほどけることになる（図３６及び図３８参照）。詳述すれば、折り畳まれた状態での釣糸５０４は、フランジ５１０の傾斜面５１４で屈曲すると共に対向するフランジ５１１の傾斜面５１５で再度屈曲して糸掛ボス５０９の方へ向かっている。すなわち、釣糸５０４は、立体的に略Ｕの字を描くように保持されており、釣糸５０４が引っ張られると当該略Ｕの字が解かれるように引き出される。このとき、釣糸５０４は、上記傾斜面５１４、５１５を迫り上がっていくことになるが、釣糸５０４がこの傾斜面５１４、５１５の上端５１６、５１７（角部）を乗り越えることができずに、当該上端５１６、５１７に引っ掛かってしまうことがある。ただし、釣糸５０４の引張力が十分に大きい場合には、釣糸５０４がフランジ５１０、５１１を弾性的に変形させ、上記上端５１６、５１７が内側に変位するから、釣糸５０４は当該上端５１６、５１７から外れて引き出される。
【００１３】
ところが、前述のように釣糸５０４がフランジ５１０、５１１に対して強く摺動した場合、釣糸５０４が損傷するおそれがある。特にフランジ５１０、５１１の剛性が高い場合、釣糸５０４の外径が小さい場合、及び釣糸５０４がいわゆるＰＥラインの場合等はなおさらである。
【００１４】
もっとも、この問題は、フランジ５１０が十分に柔らかくて釣糸５０４に対する摩擦係数がきわめて小さい材料から構成されるならば解消され得る。ところが、そのような材料により内フレーム５０２が構成された場合には、内フレーム５０２に釣糸５０４を巻き取る作業が困難となるし、そもそもそのような材料は一般的なものではなく、そのため、糸巻の製造コストが上昇するという新たな問題が発生する。
【００１５】
そこで、本発明の第１の目的は、糸状体を巻き癖が付くことなく保持すると共にこの糸状体が損傷を受けることなく円滑に引き出される安価な糸巻を提供することである。本発明の第２の目的は、糸状体を巻き癖が付くことなく保持すると共に巻かれた糸状体の拡がりを抑えて円滑に引き出される糸巻を提供することである。
【課題を解決するための手段】
【００１６】
(1) 上記第１の目的が達成されるため、本発明に係る糸巻は、センタープレート及び当該センタープレートの両側に連続する一対のサイドプレートを有し、センタープレートと各サイドプレートとの境界で屈曲されることによって各サイドプレートが対向する折畳姿勢と各サイドプレートが離反する展開姿勢との間で姿勢変化するベースプレートと、ベースプレートが折畳姿勢となった状態で端面同士が対向するように各サイドプレートに設けられた一対の糸掛ボスと、各糸掛ボスの端面に設けられると共に当該端面から上記センタープレート側へ延設されてベースプレートに固定された一対の補助プレートとを有する。当該補助プレートは、上記各糸掛ボスの中心を結ぶ仮想中心線と平行に配置された仮想切断線に沿って切断されることによって真直な切断縁が形成されている。
【００１７】
この糸巻は、長尺の糸状体を保持することができる。糸状体としては、釣糸が例示される。糸状体は、次の要領で糸巻に巻き取られる。まず、ベースプレートが展開姿勢に変化され、センタープレートの両側に一対のサイドプレートが配置される。この状態で、一対の糸掛ボスがベースプレートの両端部に配置されることになる。続いて、糸状体の一方の端部がベースプレートの所定部位、例えば一対の糸掛ボスの中間に固定される。糸状体は、一方の糸掛ボスに巻き掛けられる。このとき、糸状体は、例えば補助プレートの上記仮想切断線に沿って切断された側から糸掛ボスに巻き掛けられる。さらに、この糸状体は、他方の糸掛ボスに巻き掛けられる。この場合も、補助プレートの上記仮想切断線に沿って切断された側から糸掛ボスに巻き掛けられる。もっとも、この糸状体は、補助プレートの上記仮想切断線に沿って切断された側と反対側から各糸掛ボスに巻き掛けられてもよい。この糸状体は、互いにクロスするように一方の糸掛ボス及び他方の糸掛ボスに巻き掛けられる。同様にして、この糸状体は、一対の糸掛ボスに交互に連続して巻き掛けられる。すなわち、この糸状体は、８の字を呈するように一対の糸掛ボス間に巻き取られ、ベースプレートに保持される。この状態でベースプレートが折畳姿勢に変化される。これにより、一対の糸掛ボスに８の字を呈するように巻き付けられていた糸状体は、ベースプレート内で環状に形成される。
【００１８】
前述のように、糸状体が一対の糸掛ボスに８の字を呈するように巻き付けられるから、当該糸状体が一方の糸掛ボスに巻かれる際に発生する撚りと、他方の糸掛ボスに巻かれる際に発生する撚りとが相殺され、結果的に糸状体が撚れることはない。糸状体は、強く引っ張られることなくきわめて緩やかに一対の糸掛ボスに巻き付けられる。糸状体が各糸掛ボスに巻き付けられた状態でベースプレートが折畳姿勢に変化されると、糸状体は環状に形成され、ほとんど無張力の状態でベースプレートに保持される。したがって、糸状体がベースプレートに長時間保持されたとしても巻き癖がつくことがない。
【００１９】
この糸状体の使用者は、ベースプレートに保持された糸状体の他方の端部を引っ張ることにより、所望の長さの糸状体をベースプレートから引き出すことができる。このとき、一方の糸掛ボス及び他方の糸掛ボスに巻き掛けられた糸状体は、これら各糸掛ボスから交互に解けるように引き出される。したがって、糸状体は、使用者の意に反して一気に多量にベースプレートから引き出されることはない。
【００２０】
上記糸状体は、次の要領で引き出される。まず、糸状体の他方の端部が引っ張られると、当該端部の直近に形成された糸状体のループ、例えば一方の糸掛ボスに巻き掛けられている糸状体のループが絞られる。つまり、当該ループの径が小さくなる。当該ループの径が小さくなると、当該糸状体は、上記一方の補助プレートの縁部に沿ってスライドする。このとき、各補助プレートは上記真直縁を備えているから、当該糸状体は、当該真直縁に沿って円滑にスライドし、一方の補助プレートが変形しなくても円滑に一方の糸掛ボスから外れ、当該ループが解けることになる。このループに隣り合うループも同様に解け、その結果、幾重にも巻回された糸状体は、ストレスなく順に解けることになる。
【００２１】
(2) 上記第２の目的が達成されるため、本発明に係る糸巻は、センタプレート及び当該センタプレートの両側に連続する一対のサイドプレートを有し、センタプレートと各サイドプレートとの境界で屈曲されることによって各サイドプレートが対向する折畳姿勢と各サイドプレートが離反する展開姿勢との間で姿勢変化するベースプレートと、ベースプレートが折畳姿勢となった状態で端面同士が対向するように各サイドプレートに設けられた一対の糸掛ボスと、各糸掛ボスの端面に設けられると共に当該端面から上記センタープレート側へ延設されてベースプレートに固定された一対の補助プレートと、上記サイドプレートの縁部又は上記補助プレートの縁部のうちいずれか一方の縁部から他方の縁部に向かって延びる第１堤部とを備える。
【００２２】
この糸巻は、長尺の糸状体を保持することができる。糸状体としては、釣糸が例示される。糸状体は、次の要領で糸巻に巻き取られる。まず、ベースプレートが展開姿勢に変化され、センタプレートの両側に一対のサイドプレートが配置される。これにより、一対の糸掛ボスがベースプレートの両端部に配置されることになる。続いて、糸状体の一方の端部がベースプレートの所定部位、例えば一対の糸掛ボスの中間に固定される。糸状体は、一方の糸掛ボスに巻き掛けられる。さらに、この糸状体は、他方の糸掛ボスに巻き掛けられる。この場合に、糸状体は互いにクロスするように一方の糸掛ボス及び他方の糸掛ボスに巻き掛けられる。同様にして、この糸状体は、一対の糸掛ボス間に交互に連続して巻き掛けられる。すなわち、この糸状体は、８の字を呈するように一対の糸掛ボス間に巻き取られ、ベースプレートに保持される。この状態でベースプレートが折畳姿勢に変化される。これにより、一対の糸掛ボス間に８の字を呈するように巻き付けられていた糸状体は、ベースプレート内で環状に形成されることになる。
【００２３】
前述のように、糸状体が一対の糸掛ボス間に８の字を呈するように巻き付けられるから、当該糸状体が一方の糸掛ボスに巻かれる際に発生する撚りと、他方の糸掛ボスに巻かれる際に発生する撚りとが相殺され、結果的に糸状体が撚れることはない。また、糸状体は、強く引っ張られることなく緩やかに一対の糸掛ボスに巻き付けられ得るものであるから、糸状体が各糸掛ボスに巻き付けられた状態でベースプレートが折畳姿勢に変化されることにより、糸状体は環状に形成され、ほとんど無張力の状態でベースプレートに保持される。したがって、糸状体がベースプレートに長時間保持されたとしても巻き癖がつくことがない。
【００２４】
この糸状体の使用者は、ベースプレートに保持された糸状体の他方の端部を引っ張ることにより、所望の長さの糸状体をベースプレートから引き出すことができる。このとき、一方の糸掛ボス及び他方の糸掛ボスに巻き掛けられた糸状体は、これら各糸掛ボスから交互にほどけるように引き出される。したがって、糸状体は、使用者の意に反して多量にベースプレートから引き出されることはない。
【００２５】
上記糸状体は、次の要領で引き出される。まず、上記他方の端部が引っ張られると、当該端部の直近に形成された糸状体のループ、例えば一方の糸掛ボスに巻き掛けられている糸状体のループが絞られる。つまり、当該ループの径が小さくなる。当該ループの径が小さくなると、当該糸状体は、上記一方の補助プレートの縁部に沿ってスライドして一方の糸掛ボスから外れる。つまり、当該ループが解けることになる。そして、このループに隣り合うループも同様に解け、その結果、幾重にも巻回された糸状体は、ストレスなく解けることになる。
【００２６】
前述のように、糸状体は糸掛ボスの周りにループ状に幾重にも巻回されている。糸状体は、その剛性により糸掛ボスを中心にして外側へ拡がる傾向にあるから、ループ状の糸状体が一気に解けてしまうおそれがある。また、前述のように、糸状体に撚りが生じないのは、一方の糸掛ボスに巻かれる際に発生する撚りと、他方の糸掛ボスに巻かれる際に発生する撚りとが相殺されるからであるが、糸状体が引き出される場合、一つのループが解けていく際に、糸状体が一方の糸掛ボス側から外れた瞬間に撚りが発生する。この撚りは、当該糸状体が他方の糸掛ボスからも外れて他のループが解けることによって相殺されるのであるが、この撚りが相殺されるまでに当該糸状体が大きく拡がり、これに引きずられるようにして他のループが補助プレートの外側に外れてしまうことがある。これでは、糸状体が引き出される際に絡みついてしまうおそれがある。
【００２７】
しかし、本発明に係る糸巻は、上記第１堤部を備えているから、糸状体が糸掛ボスを中心にして外側へ拡がることはなく、各ループが補助プレートから外側へ外れてしまうことが防止される。したがって、糸状体の絡みが防止され、糸状体が円滑に引き出される。
【００２８】
(3) 上記第１堤部は、当該第１堤部の先端が上記他方の縁部に接触するように設けられているのが好ましい。
【００２９】
この構成では、糸掛ボスに巻かれた状態の糸状体の拡がりが第１堤部によって確実に防止される。ただし、糸状体が引っ張られると当該糸状体に一定のテンションが発生するから、このテンションによって糸状体は第１堤部の先端と上記他方の縁部との間をすり抜けて外部に引き出される。
【００３０】
(4) 上記第１堤部は、上記糸掛ボスを中心とする円弧状に形成された突条から構成されているのが好ましい。
【００３１】
この構成によれば、仮に糸状体が糸掛ボスを中心に外側に拡がろうとしても、第１堤部が糸状体の周囲に均等に当接するから、糸状体の拡がりが確実に防止される。
【００３２】
(5) 上記サイドプレートの側部に第２堤部がさらに設けられているのが好ましい。
【００３３】
この構成によれば、サイドプレートの側部の方向へ糸状体が拡がろうとしても、第２堤部に糸状体が当接するから、糸状体が糸掛ボスを中心にして外側へ拡がることがより一層防止される。特に、サイドプレートの側部方向への糸状体の拡がりが確実に防止される。
【００３４】
(6) 上記第１堤部に隣設され、上記サイドプレートの縁部又は上記補助プレートの縁部のうち上記第１堤部が設けられた一方の縁部に向かって他方の縁部から延びる第３堤部がさらに設けられているのが好ましい。
【００３５】
前述のように、糸状体は、ベースプレートが展開姿勢にあるときに糸巻に８の字状に巻き取られるが、その後、ベースプレートが折畳姿勢に変化される。このとき、糸状体は、８の字状から環状に折り畳まれることになるが、この折り畳まれる際に糸状体がその弾性により拡径する。つまり、糸状体が外側に膨らむように変形する。この場合、当該糸状体が上記第１堤部と上記他方の縁部との隙間から外側に移動してしまうことも考えられる。
【００３６】
しかし、本発明では、上記第３堤部が設けられているから、上記糸状体が外側に膨らんだとしても外側に移動することが確実に規制され、ベースプレートが折り畳まれる際に糸状体が糸巻から外れてしまうことが防止される。その結果、糸状体ユニットの組立作業時に糸状体が確実に糸巻に保持され、糸状体ユニットの組立作業がきわめて簡単なものとなる。
【００３７】
(7) 上記第３堤部は、当該第３堤部の先端が上記一方の縁部に接触するように設けられているのが好ましい。
【００３８】
この構成では、糸掛ボスに巻かれた状態の糸状体の拡がりが第１堤部及び第３堤部によって一層確実に防止される。ただし、糸状体が引っ張られると当該糸状体に一定のテンションが発生するから、このテンションによって糸状体は第１堤部の先端と上記他方の縁部との間、又は第３堤部の先端と上記一方の縁部との間をすり抜けて外部に引き出される。
【００３９】
(8) 上記第３堤部は、上記糸掛ボスを中心とする円弧状に形成された突条から構成されているのが好ましい。
【００４０】
ベースプレートが折畳姿勢となったときは、対向するサイドプレートと補助プレートとの間に、サイドプレートから補助プレート側へ延びる第１堤部と補助プレートからサイドプレート側へ延びる第３堤部とが配置される。しかも、本発明では、仮に糸状体が糸掛ボスを中心に外側に拡がろうとしても、第１堤部及び第３堤部が糸状体の周囲に均等に当接するから、糸状体の拡がりがより一層確実に防止される。
【００４１】
(9) 上記第１堤部と上記第３堤部とが隣り合うことによって対向する当該第１堤部の側面及び当該第３堤部の側面は、上記サイドプレートに直交する方向に対して傾斜しているのが好ましい。
【００４２】
この構成では、隣り合う第１堤部と第３堤部との隙間から糸状体が自然にすり抜けることが防止される。したがって、糸状体の拡がりがなお一層防止される。
【００４３】
(10)  また、円筒状のコアと、当該コアの両端に設けられた一対のフランジと、一方のフランジの内面から他方のフランジ側に向かって延びる一方堤部と、他方のフランジの内面から一方のフランジ側に向かって上記一方堤部と対向するように延びる他方堤部とを備えた糸巻が構成され得る。
【００４４】
この糸巻は、従来と同様に円筒状のコアと一対のフランジとを有する。したがって、糸状体はコアの外周面に巻き付けられる。このコアに一対のフランジが設けられているから、糸状体は、コアに巻回された状態が維持される。ところが、たとえば糸状体の剛性が高い場合（典型的には糸状体の線径が大きい場合）、糸状体の使用者が巻回された糸状体を引き出す際に、コアに巻回された糸状体が大きく拡径するおそれがある。
【００４５】
しかし、本発明では、上記一方堤部及び他方堤部が設けられているから、コアに巻回された糸状体の拡がりが防止される。しかも、一方堤部と他方堤部とが対向しているので、糸状体が引っ張られれば一方堤部と他方堤部との間からすり抜けることができる。つまり、糸状体の使用者は、コアに巻回された糸状体を意図したときに意図した長さ分だけ容易に引き出すことができる。
【００４６】
(11)  上記一方堤部と上記他方堤部とが対向することによって向かい合う当該一方堤部の先端面及び当該他方堤部の先端面は、上記一対のフランジの周方向に対して傾斜しているのが好ましい。
【００４７】
この構成では、向かい合う一方堤部と他方堤部との隙間から糸状体が自然にすり抜けることが防止される。したがって、糸状体が拡径することがなお一層防止される。
【発明の効果】
【００４８】
本発明に係る糸巻は、巻き癖を付けることなく糸状体を巻き取ることができるので、この糸巻に糸状体が巻き付けられた糸巻ユニットでは、当該糸巻から引き出された糸状体は、真直で滑らかな状態が維持される。また、糸状体は、滑らかにストレス無く引き出されるので、糸状体が損傷を受けることがない。さらに、糸状体が補助プレート等に強く摺動することが防止されるので、補助プレートは可撓性を備えている必要はなく、補助プレートを構成する材料は特に限定されることはない。その結果、安価な糸巻が提供され得るという利点もある。加えて、糸状体が糸掛ボスを中心にして外側へ拡がることが防止されるため、糸状体が絡むことなく円滑に引き出される。
【図面の簡単な説明】
【００４９】
【図１】図１は、本発明の実施形態に係る糸巻を備えた糸状体ユニットの斜視図である。
【図２】図２は、本発明の実施形態に係る糸状体ユニットの分解斜視図である。
【図３】図３は、本発明の実施形態に係る糸巻の拡大斜視図である。
【図４】図４は、本発明の実施形態に係る糸巻の平面図である。
【図５】図５は、図４におけるＶ−Ｖ断面図である。
【図６】図６は、本発明の実施形態に係る糸巻の前面蓋の要部拡大断面図である。
【図７】図７は、本発明の実施形態に係る糸巻のケーシングの要部拡大断面図である。
【図８】図８は、本発明の実施形態に係る糸巻の糸状体の巻取要領を模式的に示す図である。
【図９】図９は、本発明の実施形態に係る糸巻の側面図である。
【図１０】図１０は、本発明の実施形態の変形例に係る糸巻の平面図である。
【図１１】図１１は、図１０におけるXI−XI断面図である。
【図１２】図１２は、本発明の実施形態の変形例に係る糸巻の側面図である。
【図１３】図１３は、本発明の実施形態の第２の変形例に係る糸状体ユニットのケーシングの展開図である。
【図１４】図１４は、本発明の実施形態の第２の変形例に係る糸状体ユニットのベースプレートの平面図である。
【図１５】図１５は、本発明の実施形態の第２の変形例に係る糸状体ユニットのベースプレートの一部断面側面図である。
【図１６】図１６は、図１４におけるXVI−XVI断面図である。
【図１７】図１７は、図１４におけるXVII−XVII断面図である。
【図１８】図１８は、本発明の実施形態の第２の変形例に係る糸状体ユニットの補助プレートの平面図である。
【図１９】図１９は、本発明の実施形態の第２の変形例に係る糸状体ユニットの補助プレートの一部断面側面図である。
【図２０】図２０は、ベースプレート及び補助プレートがケーシングに組み込まれた状態を示す平面図である。
【図２１】図２１は、ベースプレート及び補助プレートがケーシングに組み込まれた状態における一部断面側面図である。
【図２２】図２２は、糸状体の巻取要領を模式的に示す図である。
【図２３】図２３は、本発明の実施形態の第３の変形例に係るベースプレートの平面図である。
【図２４】図２４は、本発明の実施形態の第４の変形例に係るベースプレートの平面図である。
【図２５】図２５は、本発明の実施形態の第４の変形例に係るベースプレートの一部断面側面図である。
【図２６】図２６は、図２４におけるXXVI−XXVI断面図である。
【図２７】図２７は、本発明の実施形態の第５の変形例に係る糸状体ユニットのベースプレートの平面図である。
【図２８】図２８は、本発明の実施形態の第５の変形例に係る糸状体ユニットのベースプレートの一部断面側面図である。
【図２９】図２９は、図２７におけるIXXX−矢視図である。
【図３０】図３０は、本発明の実施形態の第５の変形例に係る糸巻の補助プレートの平面図である。
【図３１】図３１は、本発明の実施形態の第５の変形例に係る糸巻の補助プレートの一部断面側面図である。
【図３２】図３２は、図３１における要部拡大図である。
【図３３】図３３は、本発明の実施形態の第５の変形例に係る糸巻のベースプレート及び補助プレートがケーシングに組み込まれた状態を示す平面図である。
【図３４】図３４は、本発明の実施形態の第５の変形例に係る糸巻のベースプレート及び補助プレートがケーシングに組み込まれた状態の一部断面側面図である。
【図３５】図３５は、図３３におけるXXXV−矢視図である。
【図３６】図３６は、従来の糸巻の分解斜視図である。
【図３７】図３７は従来の糸巻の内フレームの斜視図である。
【図３８】図３８は従来の糸巻の内フレームの平面図である。
【発明を実施するための形態】
【００５０】
以下、適宜図面が参照されつつ、好ましい実施形態に基づいて本発明が詳細に説明される。
【００５１】
図１は、本発明の実施形態に係る糸巻を備えた糸状体ユニットの斜視図である。図２は、この糸状体ユニットの分解斜視図である。
【００５２】
この糸状体ユニット１０は、糸巻１１と、この糸巻１１に巻き取られて保持された糸状体１２と、糸状体１２及び糸巻１１を収容するケーシング１３とを備えている。本実施形態では、糸状体１２は釣糸である。したがって、本実施形態に係る糸状体ユニット１０は、釣糸が糸巻に巻き取られた釣糸ユニットとして構成されている。もっとも、糸状体１２は釣糸に限定されるものではない。
【００５３】
図３は、上記糸巻１１の拡大斜視図である。図４は、糸巻１１の平面図、図５は、図４におけるＶ−Ｖ断面図である。
【００５４】
図２及び図３が示すように、糸巻１１は、ベースプレート１４と、糸掛ボス１５、１６と、補助プレート１７、１８とを備えている。
【００５５】
ベースプレート１４は、樹脂、紙、金属等からなる。ベースプレート１４は、薄肉の平板からなり、細長の矩形に形成されている。ベースプレート１４は、センタプレート５３と、サイドプレート５４、５５とを備えている。サイドプレート５４は、センタプレート５３の一方側に設けられ、サイドプレート５５は、センタプレート５３の他方側に設けられている。本実施形態では、各サイドプレート５４、５５は、センタプレート５３と一体的に形成されている。サイドプレート５４は、センタプレート５３に対して折り曲げられるようになっている。すなわち、サイドプレート５４は、第１境界部位１９でセンタプレート５３に対して屈曲可能となっている。サイドプレート５５もセンタプレート５３に対して折り曲げられるようになっている。すなわち、サイドプレート５５は、第２境界部位２０でセンタプレート５３に対して屈曲可能となっている。このため、ベースプレート１４は、図３が示すように真直に延びた姿勢（展開姿勢）と、当該姿勢から図２が示すように折り曲げられた姿勢（折畳姿勢）との間で姿勢変化することができるようになっている。ベースプレート１４が折畳姿勢となったときは、サイドプレート５４、５５同士が対向するようになっている（図２及び図９参照）。ベースプレート１４が展開姿勢となったときは、ベースプレート１４の両端部同士（すなわち、サイドプレート５４、５５同士）がセンタプレート５３を中心に対称に離反する（図３及び図４参照）。
【００５６】
糸掛ボス１５及び糸掛ボス１６は、樹脂、木材、金属等からなる。糸状体１２は、後述の要領で糸掛ボス１５、１６に巻き掛けられるようになっている。本実施形態では、糸掛ボス１５は、円柱状に形成されている。したがって、糸掛ボス１５の外周面２２は円弧状に形成されており、糸掛ボス１５に巻き掛けられた糸状体１２は、円弧を呈するようになっている。糸掛ボス１５は、サイドプレート５４の内面２３に立設配置されており、ベースプレート１４が折畳姿勢となった状態で内側に突出する。この糸掛ボス１５の軸方向２９（仮想軸線方向）の寸法（図３において上下方向の寸法ｔ）は、例えば５ｍｍ〜１０ｍｍに設定される。ただし、この寸法ｔは、糸状体１２の線径に対応して適宜設計変更され得るものである。
【００５７】
糸掛ボス１６は、糸掛ボス１５と同様の構造を有する。すなわち、糸掛ボス１６は、円柱状に形成されており、その外周面２４は円弧状に形成されている。したがって、糸掛ボス１６に巻き掛けられた糸状体１２は、円弧を呈するようになっている。糸掛ボス１６は、糸掛ボス１５と同様にベースプレート１４のサイドプレート５５の内面２１に立設配置されており、ベースプレート１４が折畳姿勢となった状態で内側に突出する。すなわち、糸掛ボス１６は、センタプレート５３を基準として糸掛ボス１５と対称位置に配置されており、ベースプレート１４が折畳姿勢に変化したときは、糸掛ボス１５の先端面２５と糸掛ボス１６の先端面２６とが対向するようになっている。糸掛ボス１６の軸方向３０（仮想軸線方向）の寸法（同図において上下方向の寸法ｔ）は、糸掛ボス１５の軸方向２９寸法と同様に５ｍｍ〜１０ｍｍに設定される。ただし、糸掛ボス１６側の軸方向３０寸法ｔは、糸掛ボス１５の軸方向２９寸法に応じて変化し、糸掛ボス１５の軸方向２９寸法と同一寸法に設定される。
【００５８】
本実施形態では、糸掛ボス１５、１６は、円柱状に形成されているが、これら糸掛ボス１５、１６の形状は円柱状に限定されるものではない。すなわち、これら糸掛ボス１５、１６は、巻き掛けられた糸状体が滑らかな曲線状を呈するような外周面を備えていれば、他の種々の形状が採用され得る。したがって、糸掛ボス１５、１６は、断面が半円形の柱状に形成されていてもよいし、外周面の一部に曲面が形成された異形の柱状に形成されていてもよい。なお、本明細書において、ベースプレート１４が展開姿勢に変化した状態で糸掛ボス１５の中心と糸掛ボス１６の中心とを結ぶ仮想線は、仮想中心線５８（図４参照）と定義される。
【００５９】
補助プレート１７は、樹脂、金属等からなる。補助プレート１７は、薄肉の板状部材からなる。図３及び図５が示すように、補助プレート１７は、糸掛ボス１５の先端面２５に固定されている。補助プレート１７の固定手段は、接着剤のほか熱融着その他の既知の固着手段が採用され得る。図３及び図４が示すように、この補助プレート１７は、糸掛ボス１５に固定されると共にセンタプレート５３側へ延びて上記第１境界部位１９に連結されている。糸掛ボス１５の先端面２５と上記第１境界部位１９との間には高低差があるため、補助プレート１７の中間部分が折り曲げられている。この補助プレート１７は、円形部２７と、脚部２８とを備えており、これらは一体的に形成されている。図４が示すように、円形部２７は、二点差線５６で示される円形に形成されており、その一部が後に詳述される仮想切断線５７に沿って切断されている。そして、上記脚部２８は、円形部２７に連続してセンタプレート５３側へ延びている。この脚部２８の幅方向寸法Wは、円形部２７からセンタプレート５３側へ向かう方向に沿って漸次小さくなっている。ここで、上記幅方向寸法Wとは、上記円形部２７の径方向であって仮想中心線５８に直交する方向の寸法である。
【００６０】
円形部２７の中心は糸掛ボス１５の中心と一致されており、円形部２７は、糸掛ボス１５の先端面２５に設けられたフランジを構成している。また、脚部２８は略台形状に形成されており、底縁５９、第１側縁６０、第２側縁６１及び円弧縁６２を備えている。底縁５９は、上記第１境界部位１９に固定されており、仮想中心線５８を中心として対称に配置されている。第１側縁６０及び第２側縁６１は、仮想中心線５８を中心として対称に配置されている。第１側縁６０は、底縁５９の一端に連続して円形部２７の一端側（図４において上側）へ延びている。第１側縁６０は、円形部２７を形成する上記二点鎖線５６に外接している。また、第２側縁６１は、底縁５９の他端に連続して円形部２７の他端側（図４において下側）へ延びている。第２側縁６１も円形部２７を形成する上記二点鎖線５６に外接している。さらに、円弧縁６２は、円形部２７に連続している。すなわち、円弧縁６２は、第１側縁６０と第２側縁６１とを連続するものであり、上記二点鎖線５６と一致している。言い換えれば、本実施形態においては円形部２７と脚部２８とは一体的に形成されているから、円弧縁６２は、円形部２７と脚部２８との仮想の境界を示すものである。
【００６１】
上記仮想切断線５７は、上記仮想中心線５８と平行に配置されている。仮想切断線５７は、仮想中心線５８から距離Ｓの位置に配置されている。この距離Ｓは、
ｄ／２＜Ｓ≦Ｄ／２−（Ｄ−ｄ）／６    −−−−−−−−−−（１）
で示される範囲に設定される。但し、ｄは糸掛部１５の外径であり、Ｄは円形部２７の外径である。
【００６２】
補助プレート１８も樹脂、金属等からなり、補助プレート１７と同様の構造である。なお、図３では、補助プレート１８及び糸掛ボス１６の構造が明瞭に図示されるように、補助プレート１８が起立した状態で描かれている。ただし、実際には、補助プレート１８は、糸掛ボス１６に固定されている。図４及び図５が示すように、補助プレート１８は、センタプレート５３を基準にして補助プレート１７と対称に配置されている。
【００６３】
補助プレート１８は、糸掛ボス１６の先端面２６に固定されている。補助プレート１８の固定手段は、接着剤のほか熱融着その他の既知の固着手段が採用され得る。図３及び図４が示すように、この補助プレート１８は、糸掛ボス１６に固定されると共にセンタプレート５３側へ延びて上記第２境界部位２０に連結されている。この補助プレート１８は、円形部６４と、脚部６５とを備えており、これらは一体的に形成されている。図４が示すように、円形部６４は、二点鎖線６６で示される円形に形成されており、その一部が後に詳述される仮想切断線５７に沿って切断されている。そして、上記脚部６５は、円形部６４に連続してセンタプレート５３側へ延びている。この脚部６５の幅方向寸法Wは、円形部６４からセンタプレート５３側へ向かう方向に沿って漸次小さくなっている。ここで、上記幅方向寸法Wとは、上記円形部６４の径方向であって仮想中心線５８に直交する方向の寸法である。
【００６４】
円形部６４の中心は糸掛ボス１６の中心と一致されており、円形部６４は、糸掛ボス１６の先端面２６に設けられたフランジを構成している。また、脚部６５は略台形状に形成されており、底縁６９、第１側縁７０、第２側縁７１及び円弧縁７２を備えている。底縁６９は、上記第１境界部位２０に固定されており、仮想中心線５８を中心として対称に配置されている。第１側縁７０及び第２側縁７１は、仮想中心線５８を中心として対称に配置されている。第１側縁７０は、底縁６９の一端に連続して円形部６４の一端側（図４において上側）へ延びている。第１側縁７０は、円形部６４を形成する上記二点鎖線６６に外接している。また、第２側縁７１は、底縁６９の他端に連続して円形部６４の他端側（図４において下側）へ延びている。第２側縁７１も円形部６４を形成する上記二点鎖線６６に外接している。さらに、円弧縁７２は、円形部６４に連続している。すなわち、円弧縁７２は、第１側縁７０と第２側縁７１とを連続するものであり、上記二点鎖線６６と一致している。言い換えれば、本実施形態においては円形部６４と脚部６５とは一体的に形成されているから、円弧縁７２は、円形部６４と脚部６５との仮想の境界を示すものである。
【００６５】
上記仮想切断線５７は、補助プレート１７を切断する仮想切断線５７と一致しており、上記仮想中心線５８と平行に配置されている。すなわち、補助プレート１８を切断する仮想切断線５７は、仮想中心線５８から距離Ｓの位置に配置されている。この距離Ｓは、
ｄ／２＜Ｓ≦Ｄ／２−（Ｄ−ｄ）／６    −−−−−−−−−−（１）
で示される範囲に設定される。但し、ｄは糸掛部１６の外径であり、Ｄは円形部６４の外径である。
【００６６】
補助プレート１７及び補助プレート１８が上記仮想切断線５７で切断されることにより、上記第１側縁６０、７０が屈曲され、真直縁６３、７３（真直な切断縁）が形成される。このように上記第１側縁６０、７０が屈曲され且つ真直縁６３、７３が形成されることによる作用効果については後述される。
【００６７】
図１及び図２が示すように、ケーシング１３は、直方体の箱状に形成されている。本実施形態では、ケーシング１３は、樹脂や紙等から構成される。ケーシング１３の前面に開口が設けられており、この開口に連続してケーシング１３の内部に収容室３５が区画されている。この収容室３５は、折畳姿勢となったベースプレート１４を収容することができるようになっている。しかも、この収容室３５は、折畳姿勢となったベースプレート１４の外形形状に対応して形成されている。このため、ベースプレート１４が図２において矢印３７の方向に沿って収容室３５に収容された状態では、ケーシング１３は、ベースプレート１４の周囲を被覆した状態で所定の保持力で当該ベースプレート１４を保持するようになっている。
【００６８】
ケーシング１３は、前面蓋３６を備えている。この前面蓋３６は、ケーシング１３と一体的に形成されており、上記収容室３５の開口を開閉することができる。この前面蓋３６は、面ファスナー３８（図１参照）を備えている。この面ファスナー３８は、フックテープ３９及びループテープ４０を有する（図２参照）。ループテープ４０がケーシング１３に設けられ、フックテープ３９が前面蓋３６側の内側に設けられている。したがって、前面蓋３６が閉じられたときは、フックテープ３９とループテープ４０とが係合し、前面蓋３６は、閉じた状態が維持される。なお、本実施形態では、前面蓋３６がケーシング１３に設けられているが、この前面蓋３６がベースプレート１４に設けられていてもよい。
【００６９】
図６は、前面蓋３６の要部拡大断面図である。
【００７０】
図１及び図２が示すように、前面蓋３６は、ガイドリング４１を備えている。このガイドリング４１は、樹脂、金属その他の材料からなる。典型的には、ガイドリング４１は、ＳｉＣ（シリコーンカーバイド）から構成される。図６が示すように、ガイドリング４１は、チューブ状に形成されている。ガイドリング４１は、前面蓋３６を貫通し、当該前面蓋３６に固定されている。具体的には、ガイドリング４１は、リング本体４２と固定具４３とを備えている。リング本体４２及び固定具４３は、それぞれ貫通孔４４、４５を備えている。リング本体４２は、前面蓋３６の内側から当該前面蓋３６を貫通して嵌め込まれている。固定具４３は、前面蓋３６を貫通したリング本体４２に当該前面蓋３６の外側から嵌め込まれている。したがって、リング本体４２及び固定具４３は、協働して前面蓋３６を挟み込み、これにより、ガイドリング４１が前面蓋３６に取り付けられている。
【００７１】
ガイドリング４１が前面蓋３６に取り付けられた状態で、上記貫通孔４４、４５が連通し、ケーシング１３の内部と外部とを連通する挿通孔４６（糸引出孔）が構成される。上記糸状体１２は、この挿通孔４６に挿通され、ケーシング１３の内部から外部へと円滑に案内される。本実施形態では、この挿通孔４６の一部が拡径されている。具体的には、上記貫通孔４４の内径寸法は、ケーシング１３の内側に向かって漸次大きくなるように設定されている。つまり、挿通孔４４は、ケーシング１３の内側に向かって開く漏斗状に形成されている。挿通孔４６が係る形状に形成されることによる作用効果は、後述される。
【００７２】
図７は、ケーシング１３の要部拡大断面図である。
【００７３】
図１及び図２が示すように、ケーシング１３は糸止具４７を備えている。図７が示すように、この糸止具４７は、円形の平板からなる。糸止具４７は、中央部４８と外縁部４９とを有し、外縁部４９は、中央部４８の周縁に連続して若干上方へ折り曲げられている。この糸止具４７は、糸状体１２を仮保持する。具体的には、図１が示すようにケーシング１３から引き出された糸状体１２の先端部が、ケーシング１３と外縁部４９（図７参照）との間に形成される隙間５０に押し込まれる。これにより、糸状体１２は、糸止具４７に保持される。ただし、糸状体１２が引っ張られることにより、糸状体１２は、簡単に糸止具４７から離脱する。
【００７４】
図８は、糸状体１２の巻取要領を模式的に示す図である。同図（ａ）は平面図であり、同図（ｂ）は側面図である。
【００７５】
前述のように、本実施形態では糸状体１２は釣糸である。ベースプレート１４が展開姿勢に変化された状態で、糸状体１２の一端５１がベースプレート１４の内面２３に固定される。糸状体１２の固定位置は特に限定されるものではないが、本実施形態では、糸状体１２は、両糸掛ボス１５、１６中間に固定されている。この糸状体１２は、ベースプレート１４と補助プレート１７との間を糸掛ボス１５側に引き回され、当該糸掛ボス１５の外周面２２に時計回りに巻き掛けられる。続いて、糸状体１２は、ベースプレート１４と補助プレート１７との間からベースプレート１４と補助プレート１８との間に引き回され、当該糸掛ボス１６の外周面２４に反時計回りに巻き掛けられる。さらに、糸状体１２は、ベースプレート１４と補助プレート１８との間からベースプレート１４と補助プレート１７との間に引き回される。このとき、糸状体１２は、当該糸状体１２とクロスするように引き回される。そして、当該糸状体１２は、糸掛ボス１５の外周面２２に時計回りに巻き掛けられた後、前述と同様に糸掛ボス１６に巻き掛けられる。なお、本実施形態では、糸状体１２は、糸掛ボス１５の外周面２２に時計回りに巻き掛けられた後、糸掛ボス１６の外周面２４に反時計回りに巻き掛けられるが、糸状体１２は、糸掛ボス１５の外周面２２に反時計回りに巻き掛けられた後、糸掛ボス１６の外周面２４に時計回りに巻き掛けられてもよい。
【００７６】
詳述すれば、ベースプレート１４が展開姿勢に変化された状態で、糸状体１２の一端５１が前述の位置に固定される。糸状体１２は、一方の糸掛ボス１５に巻き掛けられる。このとき、糸状体１２は補助プレート１７の真直縁６３が設けられた側（上記仮想切断線５７に沿って切断された側）から糸掛ボス１５に巻き掛けられる。さらに、この糸状体１２は、他方の糸掛ボス１６に巻き掛けられる。この場合も、糸状体１２は補助プレート１８の真直縁７３（上記仮想切断線５７に沿って切断された側）から糸掛ボス１６に巻き掛けられる。つまり、この糸状体１２は、互いにクロスするように糸掛ボス１５及び糸掛ボス１６に巻き掛けられる。この糸状体１２は、同様にして一対の糸掛ボス１５、１６間に交互に連続して巻き掛けられる。
【００７７】
すなわち、この糸状体１２は、８の字を呈するように一対の糸掛ボス１５、１６間に巻き取られ、ベースプレート１４に保持される。なお、所定長さの糸状体１２がベースプレート１４に巻き付けられると、当該糸状体１２が切断され、その他端５２が糸巻１１から外部へ導かれる（図８、図１参照）。糸状体１２が一対の糸掛ボス１５、１６間に８の字を呈するように巻き付けられるから、糸状体１２が糸掛ボス１５に巻かれる際に発生する撚りと、糸掛ボス１６に巻かれる際に発生する撚りとが相殺され、結果的に糸状体１２が撚れることはない。しかも、糸状体１２は、強く引っ張られることなくきわめて緩やかに糸掛ボス１５、１６に巻き付けられる。
【００７８】
図９は、ベースプレート１４が折畳姿勢に変化したときの糸巻１１の側面図である。
【００７９】
前述のように糸巻１１に糸状体１２が巻き掛けられた状態でベースプレート１４が折畳姿勢に変化されると、同図が示すように、糸状体１２は環状に形成される。このとき、糸状体１２は、ほとんど無張力の状態で糸掛ボス１５、１６に巻き付けられ、ベースプレート１４に保持される。したがって、糸状体１２がベースプレート１４に長時間保持されたとしても糸状体１２に巻き癖がつくことがない。
【００８０】
そして、この糸巻１１は、図２が示すようにケーシング１３に収容される。このとき、ケーシング１３の前面蓋３６が開かれ、糸巻１１がケーシング１３に挿入される。換言すれば、糸巻１１は、ケーシング１３によって囲繞され保持される。糸状体１２の他端５２は、ケーシング１３の前面蓋３６に設けられたガイドリング４１に挿通され、この状態で当該前縁蓋３６が閉じられる。これにより、糸状体１２は、ケーシング１３の外部に引き出され、糸状体ユニット１０の組み立てが完成する。
【００８１】
この糸状体１２の使用者（釣人）は、糸状体１２の他端５２を引っ張ることにより、所望の長さの糸状体１２をベースプレート１４から引き出すことができる。このとき、糸掛ボス１５及び糸掛ボス１６に巻き掛けられた糸状体１２は、これら各糸掛ボス１５、１６から交互に解けるように引き出される。したがって、糸状体１２は、使用者の意に反して多量にベースプレート１４から引き出されることはない。
【００８２】
糸状体１２が保持されている状態ではベースプレート１４が折畳姿勢となっている。すなわち、図９が示すように、一対の糸掛ボス１５、１６は互いに対向し、これら糸掛ボス１５、１６に設けられた補助プレート１７、１８も互いに対向している。図８及び図９が示すように、糸状体１２は、糸掛ボス１５に巻き掛けられた後に補助プレート１７の脚部２８の第２側縁６１及び補助プレート１８の脚部６５の第１側縁７０を経て糸掛ボス１６に巻き掛けられ、続いて当該脚部６５の第２側縁７１及び補助プレート１７の脚部２８の第１側縁６０を経て糸掛ボス１５に巻き掛けられている。つまり、糸状体１２は、糸掛ボス１５に巻き掛けられた後に、螺旋ループを描くように糸掛ボス１６に巻き掛けられ、その後同様に各糸掛ボス１５、１６に交互に巻き掛けられている。
【００８３】
このように、糸状体１２は幾重にも重なった螺旋ループ状に巻回される。そして、糸状体１２の使用者が当該糸状体１２の他端５２を引っ張ると、当該他端５２に最も近いループが解け、続いて当該ループに隣り合うループが順に解ける。
【００８４】
糸状体１２によって形成される螺旋ループは、次の要領で解ける。まず、糸状体１２の他端５２が引っ張られると、ガイドリング４１（図１参照）から糸状体１２が引き出される。これにより、上記他端５２の直近の螺旋ループ、例えば糸掛ボス１５に巻き掛けられている螺旋ループが絞られる。つまり、当該ループの径が小さくなる。このとき、図８及び図９が示すように、糸状体１２は、補助プレート１７の脚部２８の第１側縁６０、糸掛ボス１５、当該脚部２８の第２側縁６１に巻き掛けられているから、上記螺旋ループの径が小さくなると、当該糸状体１２は、上記脚部２８の第１側縁６０に沿って当該脚部２８から円形部２７側へ移動する。しかも、当該第１側縁６０は上記仮想切断線５７（図４参照）に沿って切断されているから、当該糸状体１２は、補助プレート１７が変形しなくても上記第１側縁６０及び真直縁６３に沿って移動して円滑に糸掛ボス１５から外れる。このようにして、上記螺旋ループが解けることになる。そして、この螺旋ループに隣り合う螺旋ループも同様に解け、その結果、幾重にも巻回された糸状体１２は、ストレスなく順番に解けることになる。
【００８５】
このように本実施形態に係る糸巻１１は、巻き癖を付けることなく糸状体１２を巻き取ることができるので、この糸巻１１から引き出された糸状体１２は、真直で滑らかな状態が維持される。また、糸巻１１の補助プレート１７、１８が上記仮想切断線５７で切断されているから、糸状体１２が糸巻１１から引き出される際に補助プレート１７、１８等に強く摺動することがない。したがって、糸状体１２は、損傷を受けることなく円滑に引き出される。言い換えれば、糸状体１２が補助プレート１７、１８等に強く摺動することがないので、補助プレート１７、１８が可撓性を備える必要がなく、補助プレート１７、１８を構成する材料は特に限定される必要がなく、安価な材料が採用され得る。その結果、糸巻１１がコスト安価に製造され、糸状体ユニット１０の製造コストも低減される得る。
【００８６】
本実施形態では、糸掛ボス１５、１６は、外径がｄである円柱状に形成されている。つまり、糸掛ボス１５、１６の構造がきわめて簡単であり、糸巻１１の製造コストが一層低減されるという利点がある。そして、特に本実施形態では、上記仮想切断線５７が上記仮想中心線５８から上記距離Ｓの位置に配置されているから、糸状体１２の材質にかかわらず糸状体１２が糸巻１１から円滑に引き出される。すなわち、糸状体１２がナイロン糸、フロロカーボン糸、いわゆるＰＥラインであっても円滑に糸巻１１から引き出される。
【００８７】
さらに、本実施形態に係る糸状体ユニット１０では、図１及び図２が示すようにガイドリング４１が設けられている。したがって、糸状体１２は、ガイドリング４１に案内されて糸巻１１の内部から円滑に引き出されるという利点がある。特に、図６が示すように、ガイドリング４１の挿通孔４６の一部が拡径されている。このため、糸状体１２はケーシング１３の内側からガイドリング４１へ滑らかに進入することができる。したがって、糸状体１２がガイドリング４１に進入する際に屈曲することがなく、糸状体１２の損傷がより一層防止される。
【００８８】
加えて、本実施形態に係る糸状体ユニット１０は、前述のように、糸巻１１が糸状体１２とは別個に製造され、糸巻１１に対して糸状体１２が巻き付けられる工程、ベースプレート１４が折畳姿勢に姿勢変化される工程及び糸巻１１がケーシング１３に収容される工程を経て完成される。すなわち、糸巻１１のみが予め大量に製造され得るので、部品としての糸巻１１がきわめて安価に製造され得るという利点がある。また、糸状体１２も大量生産され得るものであるから、糸状体ユニット１０の製造コストが一層低減される。しかも、糸巻１１は、前述のように姿勢変化するベースプレート１４を備えているから、糸状体１２が使用された後は、ベースプレート１４が展開姿勢に変化されることにより、再び糸状体１２のみが糸巻１１に巻き付けられる。すなわち、糸巻１１のリサイクルが可能であり、ゴミの発生が抑制される。
【００８９】
図１０は本実施形態の変形例に係る糸巻の平面図、図１１は図１０におけるXI−XI断面図である。また、図１２は、本変形例に係る糸巻の側面図である。
【００９０】
この変形例に係る糸巻８０では、係止部材８１が設けられている。この係止部材８１は、一対の糸掛ボス１５、１６に巻回された糸状体１２を当該巻回状態に安定させるためのものである。例えば糸状体１２が線径の大きいナイロン糸等であるときは、糸状体１２は、その剛性によって一対の糸掛ボス１５、１６に巻回された状態が維持されにくく、特に、センタプレート５３の近傍で折り畳まれた部分８２（図１２参照）が糸掛ボス１５、１６の方に移動する傾向にある。このように、糸状体１２の折り畳まれた部分８２が糸掛ボス１５、１６の方に移動すると、糸状体１２が自然に解けてしまい、いわゆるバックラッシュが発生するおそれがある。
【００９１】
上記係止部材８１は、挟持部８３及び支持部８４を備えている。この係止部材８１は、樹脂あるいは金属等により構成され得る。挟持部８３は、一対の挟持板８５、８６を有し、断面形状が略C字状になるように形成されている。挟持部８３は、図１０が示すように、上記真直縁６３、７３が形成されている側（同図において上側）からセンタプレート５３に嵌め込まれる。挟持板８５及び挟持板８６は、センタプレート５３を挟持する。これにより、挟持部８３がセンタプレート５３に固定される。また、支持部８４は、略L字状に形成された部材からなる。すなわち、支持部８４は、挟持板８６に連結された連結脚部８７と、これに直交するように設けられた押さえ部８８とを有する。この押さえ部８８は、図１０が示すように、センタプレート５３と平行に配置され、上記真直縁６３、７３が設けられた側から真っ直ぐに（同図において上方から下方へ真直に）延びている。
【００９２】
本変形例においても、糸状体１２は、前述の糸巻１１と同様の要領で糸巻８０に巻き取られる。すなわち、ベースプレート１４が展開姿勢に変化された状態で（図８参照）、糸状体１２の一端５１が前述の位置に固定される。糸状体１２は、一方の糸掛ボス１５に巻き掛けられる。このとき、糸状体１２は補助プレート１７の真直縁６３が設けられた側（上記仮想切断線５７に沿って切断された側）から糸掛ボス１５に巻き掛けられる。さらに、この糸状体１２は、センタプレート５３と係止部材８１の押さえ部８８との間を通って他方の糸掛ボス１６に巻き掛けられる。この場合も、糸状体１２は補助プレート１８の真直縁７３（上記仮想切断線５７に沿って切断された側）から糸掛ボス１６に巻き掛けられる。つまり、この糸状体１２は、互いにクロスするように糸掛ボス１５及び糸掛ボス１６に巻き掛けられる。この糸状体１２は、再びセンタプレート５３と上記押さえ部８８との間を通って糸掛ボス１５に巻き掛けられる。この糸状体１２は、同様にして一対の糸掛ボス１５、１６間に交互に連続して８の字を呈するように巻き掛けられる。なお、前述のように、糸状体１２の巻付方向は、逆であってもよい。
【００９３】
図１２が示すように、糸巻８０に糸状体１２が巻き掛けられた状態でベースプレート１４が折畳姿勢に変化されると、同図が示すように、糸状体１２は環状に形成される。このとき、糸状体１２は、ほとんど無張力の状態で糸掛ボス１５、１６に巻き付けられ、ベースプレート１４に保持される。したがって、糸状体１２がベースプレート１４に長時間保持されたとしても糸状体１２に巻き癖がつくことがない。しかも、巻回された糸状体１２のうちセンタプレート５３の近傍で折り畳まれた部分８２は、係止部材８１によって押さえられる。具体的には、糸状体１２が高い剛性を有するナイロン糸等であった場合は、前述のように上記折り畳まれた部分８２が糸掛ボス１５、１６の方に移動する傾向にあるが、仮にそうなった場合であっても係止部材８１の押さえ部８８が上記折り畳まれた部分８２を押圧するので、糸状体１２がバックラッシュを起こすことが防止される。その結果、糸状体１２の巻き量が多くなるという利点もある。
【００９４】
また、上記押さえ部８８は、連結脚部８７に片持ち状に設けられており、図１０が示すように、上記真直縁６３、７３が設けられた側から真っ直ぐに延びている。糸状体１２は、前述の要領で糸掛ボス１５、１６間に８の字を呈するように巻き掛けられることから、この糸状体１２が糸巻８０から引き出されるときは、当該糸状体１２は、センタプレート５３上では必ず上記真直縁６３、７３が設けられた側から真っ直ぐ下方に移動しつつ解けることになる。したがって、上記押さえ部８８が前述似ように片持ち状に配置されていたとしても、糸状体１２は円滑に糸巻８０から引き出される。
【００９５】
図１３は、本実施形態の第２の変形例に係る糸状体ユニットのケーシングの展開図である。図１４及び図１５は、当該第２の変形例に係る糸状体ユニットのベースプレートの平面図及び一部断面側面図である。また、図１６及び図１７は、図１４におけるXVI−XVI断面図及びXVII−XVII断面図である。さらに、図１８は、当該第２の変形例に係る糸状体ユニットの補助プレートの平面図であり、図１９は、当該補助プレートの一部断面側面図である。そして、図２０は、ベースプレート及び補助プレートがケーシングに組み込まれた状態を示す平面図であり、図２１は、一部断面側面図である。
【００９６】
当該第２の変形例に係る糸状体ユニットが上記実施形態に係る糸状体ユニット１０と異なるところは、(1) 図１３及び図２０が示すように、釣糸が引き出される挿通孔９１（糸引出孔）がケーシング９２の中心９３から糸掛ボス１５、１６の径方向に距離ｆだけオフセットされている点、(2) 図１４及び図１５が示すように、サイドプレート９４、９５に堤部９６、９７（第１堤部）が立設されている点、(3) 図１８が示すように、一対の補助プレート９８、９９が連結帯１００により連結されることによって一体的に形成されている点、(4) 補助プレート９８の第１側縁１０１の傾斜角θ１が第２側縁１０３の傾斜角θ２よりも小さく設定され、同様に、補助プレート９９の第１側縁１０２の傾斜角θ１が第２側縁１０４の傾斜角θ２よりも小さく設定されている点、(5) 図１４ないし図１６が示すように、サイドプレート９４、９５にスタッド部１０５、１０６が設けられ、他方、図１８及び図１９が示すように、補助プレート９８、９９にソケット部１０７、１０８が設けられており、スタッド部１０５及びソケット部１０７が嵌合し且つスタッド部１０６及びソケット部１０８が嵌合することによって（図２１参照）、補助プレート９８、９９がサイドプレート９４、９５に固定されると共にスタッド部１０５、１０６及びソケット部１０７、１０８によって糸掛ボス１５、１６が形成されるようになっている点である。
【００９７】
ケーシング９２（図１３参照）は、樹脂や紙等から構成されている。本変形例では、シート状の樹脂が図１３が示すような形状に裁断される。そして、ケーシング９２の側片部１１０〜１１３がそれぞれ折曲線１１４〜１１７で折り曲げられることにより中央部１０９に対して起立され、さらに、側片部１１０が折曲線１１８で折り曲げられると共に側片部１１３が折曲線１１９、１２０で折り曲げられることにより、直方体の箱状に形成されたケーシング９２が組み立てられる。このとき、側片部１１３の端縁部１２１は側片部１１１に重ね合わされて固定される。側片部１１２は、ケーシング９２の底部を構成し、側片部１１０は、前面蓋３６（図１参照）を構成する。この前面蓋３６の端縁部１２２に面ファスナーが設けられ、これにより、前面蓋３６は開閉可能となっている。なお、本変形例に係るケーシング９２の外形形状は、上記ケーシング１３（図１参照）と同様である。
【００９８】
上記中央部１０９の幅寸法Ｅは、ベースプレート１４（図１４参照）の幅寸法Ｅに対応されている。これにより、ケーシング９２は、折畳姿勢となったベースプレート１４の周囲を被覆するように収容保持するようになっている（図２０及び図２１参照）。ケーシング９２にベースプレート１４が収容保持された状態で、ケーシング９２の中心９３とベースプレート９２の中心線すなわち仮想中心線５８とが一致するようになっている。また、前面蓋３６に上記挿通孔９１が設けられており、この挿通孔９１にガイドリング４１（図１参照）が取り付けられている。図１３及び図２０が示すように、この挿通孔９１は、ケーシング９２の中心９３から距離ｆの位置に設けられている。本変形例では、距離ｆは、補助プレート９８、９９における仮想中心線５８と真直縁６３との距離ｓに対応されている。もっとも、この距離ｆは、他の種々の値に設定され得るものであり、要するに挿通孔９１が上記仮想中心線５８から変位した位置に設けられていればよい。
【００９９】
図１４が示すように、ベースプレート１４は、センタープレート５３及びサイドプレート９４、９５を備えている。サイドプレート９４の縁部１２３に堤部９６が設けられている。また、サイドプレート９４に上記スタッド部１０５が設けられている。このスタッド部１０５は、糸掛ボス１５の一部を構成するものであり、図３が示す糸掛ボス１５の位置と同じ位置に設けられている。これら堤部９６及びスタッド部１０５は、熱成形によりサイドプレート９４と一体的に形成されている。なお、サイドプレート９５の縁部１２４にも堤部９７が設けられており、当該サイドプレート９５に上記スタッド部１０６が設けられている。この堤部９７は、堤部９６と同様の形状であり、堤部９６と左右対称の位置に配置されている。スタッド部１０６は、スタッド部１０５と同様の形状であり、スタッド部１０５と左右対称の位置に配置されている。これらスタッド部１０５、１０６は、糸掛ボス１５、１６の一部を構成するものであり、図３が示す糸掛ボス１５、１６の位置と同じ位置に設けられている。これら堤部９７及びスタッド部１０６は、熱成形によりサイドプレート９４と一体的に形成されている。
【０１００】
図１４及び図１５が示すように、堤部９６、９７は、サイドプレート９４、９５の内面２３、２１に隆起するように設けられている。補助プレート９８、９９がサイドプレート９４、９５の上に配置されるから（図２１参照）、堤部９６は、サイドプレート９４から補助プレート９８側に向かって延びるように当該サイドプレート９４に立設され、堤部９７は、サイドプレート９５から補助プレート９９側に向かって延びるように当該サイドプレート９５に立設されている。具体的には、堤部９６、９７は細長の突条からなる。堤部９６、９７は、スタッド部１０５、１０６の中心（すなわち糸掛ボス１５、１６の中心）を中心として円弧状に形成されている。図１５が示すように、堤部９６、９７の断面形状は三角形を呈している。つまり、堤部９６、９７は、サイドプレート９４、９５から補助プレート９８、９９側に向かって尖った形状となっている。
【０１０１】
スタッド部１０５、１０６は、それぞれ、基部１２５と嵌合部１２６とを備えている。これらは円柱状に形成されており、その中心は一致されている。両者の中心を結ぶ線は、糸掛ボス１５、１６の軸方向２９及び軸方向３０（仮想軸線の方向）を示している。基部１２５の外径よりも嵌合部１２６の外径が小さく設定されており、基部１２５上に嵌合部１２６が載せられた状態で形成されている。基部１２５及び嵌合部１２６もサイドプレート９４、９５の内面２３、２１に隆起するように設けられており、嵌合部１２６は、上記堤部９６、９７の立設方向と同方向に突出している。
【０１０２】
図１４及び図１７が示すように、ベースプレート１４のセンタプレート５３に一対の位置決め片１２７が設けられている。この位置決め片１２７は、当該ベースプレート１４に対する補助プレート９８、９９の位置決めを行うものである。位置決め片１２７は、熱成形によりベースプレート１４と一体的に形成されている。各位置決め片１２７は、所定の間隔で並設されている。この間隔は、補助プレート９８、９９を連結する連結帯１００（図１８参照）の幅寸法に対応されている。したがって、この連結帯１００が一対の位置決め片１２７の間に嵌め込まれて固定されることにより、ベースプレート１４に対して補助プレート９８、９９の位置が決められる。
【０１０３】
図１８が示すように、補助プレート９８、９９は、連結帯１００を基準に左右対称に形成されている。補助プレート９８、９９は、中央部にソケット部１０７、１０８を備えている。このソケット部１０７、１０８は、それぞれ、図３が示す糸掛ボス１５、１６の位置と同じ位置に設けられている。ソケット部１０７は上記スタッド部１０５と協働して、ソケット部１０８は上記スタッド部１０６と協働して、それぞれ、糸掛ボス１５、１６を構成する。これらソケット部１０７、１０８は、熱成形により補助プレート９８、９９と一体的に形成されている。
【０１０４】
補助プレート９８は、上記補助プレート１７と同様に円形部２７と、脚部２８とを備えており、これらは一体的に形成されている。円形部２７は、二点差線５６で示される円形に形成されている。円形部２７は、仮想切断線５７に沿って切断されており、真直縁６３が形成されている。脚部２８は、円形部２７に連続して補助プレート９９側へ延びている。言い換えれば、補助プレート９８がベースプレート１４に取り付けられた状態で、脚部２８は、センタプレート５３側へ延びている（図２０参照）。この脚部２８の幅方向寸法Wは、円形部２７からセンタプレート５３側へ向かう方向に沿って漸次小さくなっている。この幅方向寸法Wとは、上記円形部２７の径方向であって仮想中心線５８に直交する方向の寸法である。
【０１０５】
円形部２７の中心はソケット部１０７の中心（すなわち糸掛ボス１５の中心）と一致されている。前述のように、上記ソケット部１０７は上記スタッド部１０５と協働して糸掛ボス１５を構成するから、ソケット部１０７の底面すなわち円形部２７の上面は糸掛ボス１５の先端面２５を構成することになる。このため、円形部２７は、糸掛ボス１５の先端面２５に設けられたフランジを構成することになる。
【０１０６】
脚部２８は略台形状に形成されており、底縁部１２８、第１側縁１０１、第２側縁１０３及び円弧縁６２を備えている。底縁部１２８は、上記連結帯１００により構成され、ベースプレート１４の第１境界部位１９に固定されている。図１８が示すように、第１側縁１０１及び第２側縁１０３は、仮想中心線５８の両側に配置されている。第１側縁１０１は、円形部２７の一端側（図１８において上側）へ延びている。第１側縁１０１は、連結帯１００の一端（同図において上端）と真直縁６３の下端１２９とを接続している。また、第２側縁１０３は、底縁部１２８の他端（同図において下端）に連続して円形部２７の他端側（同図において下側）に接続されている。具体的には、第２側縁１０３は、円形部２７を形成する上記二点鎖線５６に外接している。さらに、円弧縁６２は、円形部２７に連続しており、上記二点鎖線５６と一致している。言い換えれば、円弧縁６２は、円形部２７と脚部２８とが一体的に形成されていることから、円形部２７と脚部２８との仮想の境界を示すものである。
【０１０７】
上記仮想切断線５７は、上記仮想中心線５８と平行に配置されている。仮想切断線５７は、仮想中心線５８から距離Ｓの位置に配置されている。この距離Ｓは、
ｄ／２＜Ｓ≦Ｄ／２−（Ｄ−ｄ）／６    −−−−−−−−−−（１）
で示される範囲に設定される。但し、ｄは糸掛部１５の外径であり、Ｄは円形部２７の外径である。
【０１０８】
補助プレート９９は、補助プレート９８と同様の構成であって、円形部２７と、脚部２８とを備えている。円形部２７は、二点差線６６で示される円形に形成されている。円形部２７も上記仮想切断線５７に沿って切断されており、真直縁７３が形成されている。脚部２８は、円形部２７に連続して補助プレート９９側へ（センタプレート５３側）へ延びている。この脚部２８の幅方向寸法Wは、円形部２７からセンタプレート５３側へ向かう方向に沿って漸次小さくなっている。この幅方向寸法Wとは、上記円形部２７の径方向であって仮想中心線５８に直交する方向の寸法である。
【０１０９】
円形部２７の中心はソケット部１０８の中心（すなわち糸掛ボス１６の中心）と一致されている。前述のように、上記ソケット部１０８は上記スタッド部１０６と協働して糸掛ボス１６を構成するから、ソケット部１０８の底面すなわち円形部２７の上面は糸掛ボス１６の先端面２６を構成することになる。このため、円形部２７は、糸掛ボス１６の先端面２６に設けられたフランジを構成することになる。
【０１１０】
補助プレート９９の脚部２８は略台形状に形成されており、底縁部１３０、第１側縁１０２、第２側縁１０４及び円弧縁７２を備えている。底縁部１３０は、上記連結帯１００により構成され、ベースプレート１４の第２境界部位２０に固定されている。図１８が示すように、第１側縁１０２及び第２側縁１０４は、仮想中心線５８の両側に配置されている。第１側縁１０２は、円形部２７の一端側（図１８において上側）へ延びている。第１側縁１０２は、連結帯１００の一端（同図において上端）と切断縁７３の下端１３１とを接続している。また、第２側縁１０４は、底縁部１２８の他端（同図において下端）に連続して円形部２７の他端側（同図において下側）に接続されている。具体的には、第２側縁１０３は、円形部２７を形成する上記二点鎖線６６に外接している。さらに、円弧縁７２は、円形部２７に連続しており、上記二点鎖線６６と一致している。言い換えれば、円弧縁７２は、円形部２７と脚部２８とが一体的に形成されていることから、円形部２７と脚部２８との仮想の境界を示すものである。
【０１１１】
上記仮想切断線５７は、上記仮想中心線５８と平行に配置されている。仮想切断線５７は、仮想中心線５８から距離Ｓの位置に配置されている。この距離Ｓは、前述のように、          ｄ／２＜Ｓ≦Ｄ／２−（Ｄ−ｄ）／６    −−−−−−−−−−（１）
で示される範囲に設定される。但し、ｄは糸掛部１５の外径であり、Ｄは円形部２７の外径である。
【０１１２】
図１８及び図１９が示すように、ソケット部１０７は、円筒状に形成されており、その中心線は、糸掛ボス１５の軸方向２９（仮想軸線の方向）を示している。ソケット部１０７は、補助プレート９８の下面１３２に突設されている。ソケット部１０７は、熱成形により補助プレート９８と一体的に形成されている。ソケット部１０７の内径寸法は、上記スタッド部１０５の嵌合部１２６の外径寸法に対応されている。このため、嵌合部１２６は、ソケット部１０７に圧入され、一定の保持力で固定されるようになっている。嵌合部１２６の保持力が確保されるために、ソケット部１０７の内壁面に凹部１３３が設けられている。本変形例では、ソケット部１０７の４箇所に凹部１３３が設けられているが、凹部１３３の数は適宜変更され得る。この凹部１３３が設けられることにより、ソケット部１０７に嵌合部１２６が嵌め込まれると、ソケット部１０７が弾性的に拡径され、その緊迫力によってスタッド部１０５が確実にソケット部１０７と嵌合固定される。
【０１１３】
また、ソケット部１０８は、ソケット部１０７と同様に円筒状に形成されている。そして、その中心線は、糸掛ボス１６の軸方向３０（仮想軸線の方向）を示している。ソケット部１０８は、熱成形により補助プレート９８と一体的に形成され、補助プレート９８の下面１３２に突設されている。ソケット部１０８の内径寸法は、ソケット部１０７の内径寸法と同一であり、上記スタッド部１０６の嵌合部１２６の外径寸法に対応されている。このため、スタッド部１０６は、ソケット部１０８に圧入され、一定の保持力で固定されるようになっている。この保持力が確保されるために、ソケット部１０８の内壁面にも凹部１３４が設けられている。本変形例では、ソケット部１０８の４箇所に凹部１３４が設けられているが、凹部１３４の数は適宜変更され得る。この凹部１３４が設けられることによる作用効果は前述のとおりであり、スタッド部１０６が確実にソケット部１０８と嵌合固定される。
【０１１４】
補助プレート９８、９９（図１８参照）は、ベースプレート１４（図１４参照）に組み付けられる。具体的には、補助プレート９８、９９のソケット部１０７、１０８に、ベースプレート１４のスタッド部１０５、１０６が嵌め合わされる。これにより、糸巻１１が組み立てられ、上記実施形態と同様の要領で糸状体（典型的には釣糸）が巻き付けられる。なお、本変形例では、ソケット部１０７とスタッド部１０５との間、及びソケット部１０８とスタッド部１０６との間に目張りシート１３５が設けられている。目張りシート１３５は、樹脂製の薄肉シートであり、環状に形成されている。この目張りシート１３５が設けられることにより、ソケット部１０７、１０８とスタッド部１０５、１０６との間に隙間が生じることがない。したがって、糸掛ボス１５、１６に糸状体が巻き掛けられた場合に糸状体が糸掛ボス１５、１６に食い込むことが防止される。なお、この目張りシート１３５は、省略されてもよい。
【０１１５】
図２２は、糸状体１２の巻取要領を模式的に示す図である。
【０１１６】
前述のように、糸状体１２は釣糸である。ベースプレート１４が展開姿勢に変化された状態で、糸状体１２の一端５１がベースプレート１４の内面２３に固定される。糸状体１２の固定位置は特に限定されるものではないが、本変形例では、糸状体１２は、両糸掛ボス１５、１６中間であって、補助プレート９８、９９の第２側縁１０３、１０４側に固定されている。この糸状体１２は、ベースプレート１４と補助プレート９８との間を糸掛ボス１５側に引き回され、当該糸掛ボス１５の外周面２２に一方側から他方側へ反時計回りに（第２側縁１０３側から第１側縁１０１側に）巻き掛けられる。続いて、糸状体１２は、ベースプレート１４と補助プレート９８との間からベースプレート１４と補助プレート９９との間に引き回され、当該糸掛ボス１６の外周面２４に時計回りに（第２側縁１０４側から第１側縁１０２側に）巻き掛けられる。さらに、糸状体１２は、ベースプレート１４と補助プレート９９との間からベースプレート１４と補助プレート９８との間に引き回される。このとき、糸状体１２は、図２２が示すように当該糸状体１２とクロスするように引き回される。そして、糸状体１２は、糸掛ボス１５の外周面２２に反時計回りに巻き掛けられた後、前述と同様に糸掛ボス１６に巻き掛けられる。なお、本変形例では、糸状体１２は、糸掛ボス１５の外周面２２に反時計回りに巻き掛けられた後、糸掛ボス１６の外周面２４に時計回りに巻き掛けられるが、糸状体１２は、糸掛ボス１５の外周面２２に時計回りに巻き掛けられた後、糸掛ボス１６の外周面２４に反時計回りに巻き掛けられてもよいことは勿論である。
【０１１７】
換言すれば、ベースプレート１４が展開姿勢に変化された状態で、糸状体１２の一端５１が前述の位置に固定される。糸状体１２は、一方の糸掛ボス１５に巻き掛けられる。このとき、糸状体１２は補助プレート１７の真直縁６３が設けられた側と反対側（上記仮想切断線５７に沿って切断された側と反対側）から糸掛ボス１５に巻き掛けられる。さらに、この糸状体１２は、他方の糸掛ボス１６に巻き掛けられる。この場合も、糸状体１２は補助プレート１８の真直縁７３が設けられた側と反対側（上記仮想切断線５７に沿って切断された側と反対側）から糸掛ボス１６に巻き掛けられる。この糸状体１２は、互いにクロスするように糸掛ボス１５及び糸掛ボス１６に交互に幾重にも巻き掛けられる。
【０１１８】
すなわち、この糸状体１２は、８の字を呈するように一対の糸掛ボス１５、１６間に巻き取られ、ベースプレート１４に保持される。なお、所定長さの糸状体１２がベースプレート１４に巻き付けられると、当該糸状体１２が切断され、その他端５２が糸巻１１から外部へ導かれる（図１参照）。糸状体１２が一対の糸掛ボス１５、１６間に８の字を呈するように巻き付けられるから、糸状体１２が糸掛ボス１５に巻かれる際に発生する撚りと、糸掛ボス１６に巻かれる際に発生する撚りとが相殺され、結果的に糸状体１２が撚れることはない。しかも、糸状体１２は、強く引っ張られることなくきわめて緩やかに糸掛ボス１５、１６に巻き付けられる。
【０１１９】
図２０及び図２１が示すように、糸巻１１に糸状体１２が巻き掛けられた状態でベースプレート１４が折畳姿勢に変化されると、糸状体１２は環状に形成される（図９参照）。このとき、糸状体１２は、ほとんど無張力の状態で糸掛ボス１５、１６に巻き付けられ、ベースプレート１４に保持される。したがって、糸状体１２がベースプレート１４に長時間保持されたとしても糸状体１２に巻き癖がつくことがない。
【０１２０】
この糸巻１１は、ケーシング９２（図１３及び図１参照）に収容される。このとき、ケーシング９２の前面蓋３６が開かれ、糸巻１１がケーシング９２に挿入される。これにより、ケーシング９２は、ベースプレート１４を隙間なく収容し、保持する。糸状体１２の他端５２は、ケーシング９２の前面蓋３６に設けられたガイドリング４１に挿通され、この状態で当該前縁蓋３６が閉じられる。これにより、糸状体１２は、ケーシング９２の外部に引き出され、糸状体ユニット１０の組み立てが完成する。
【０１２１】
この糸状体１２の使用者（釣人）は、糸状体１２の他端５２を引っ張ることにより、所望の長さの糸状体１２をベースプレート１４から引き出すことができる。このとき、糸掛ボス１５及び糸掛ボス１６に巻き掛けられた糸状体１２は、これら各糸掛ボス１５、１６から交互に解けるように引き出される。したがって、糸状体１２は、使用者の意に反して多量にベースプレート１４から引き出されることはない。
【０１２２】
ベースプレート１４が折畳姿勢となったときは、一対の糸掛ボス１５、１６は互いに対向し、補助プレート９８、９９も互いに対向している。そして、糸状体１２は、糸掛ボス１５に巻き掛けられた後に補助プレート９８の脚部２８の第１側縁１０１及び補助プレート９９の脚部６５の第２側縁１０４を経て糸掛ボス１６に巻き掛けられ、続いて当該脚部６５の第１側縁１０２及び補助プレート９８の脚部２８の第２側縁１０３を経て糸掛ボス１５に巻き掛けられている。つまり、糸状体１２は、糸掛ボス１５に巻き掛けられた後に、螺旋ループを描くように糸掛ボス１６に巻き掛けられ、その後同様に各糸掛ボス１５、１６に交互に巻き掛けられている。
【０１２３】
このように、糸状体１２は幾重にも重なった螺旋ループ状に巻回される。そして、糸状体１２の使用者が当該糸状体１２の他端５２を引っ張ると、当該他端５２に最も近いループが解け、続いて当該ループに隣り合うループが順に解ける。糸状体１２によって形成される螺旋ループは、上記実施形態に係る糸巻１１と同様の要領で解ける。まず、糸状体１２の他端５２が引っ張られると、ガイドリング４１（図１参照）から糸状体１２が引き出される。これにより、上記他端５２の直近の螺旋ループ、例えば糸掛ボス１５に巻き掛けられている螺旋ループが絞られる。つまり、当該ループの径が小さくなる。このとき、図２２が示すように、糸状体１２は、補助プレート９８の脚部２８の第２側縁１０３、糸掛ボス１５、当該脚部２８の第１側縁１０１に巻き掛けられているから、上記螺旋ループの径が小さくなると、当該糸状体１２は、上記脚部２８の第１側縁１０１に沿って当該脚部２８から円形部２７側へ移動する。しかも、円形部２７は、上記仮想切断線５７（図１８参照）に沿って切断されているから、糸状体１２は、補助プレート９８が変形しなくても上記第１側縁１０１及び真直縁６３に沿って移動して円滑に糸掛ボス１５から外れる。このようにして、上記螺旋ループが解けることになる。そして、この螺旋ループに隣り合う螺旋ループも同様に解け、その結果、幾重にも巻回された糸状体１２は、ストレスなく順番に解けることになる。
【０１２４】
本変形例では、図１８が示すように、上記第１側縁１０１の傾斜角度θ１は上記第２側縁１０３の傾斜角度θ２よりも小さい。換言すれば、上記第２側縁１０３は、上記仮想中心線５８に対して横方向に大きく張り出している。したがって、ループ状の糸状体１２が第１側縁１０１に沿って円滑に移動する一方、当該糸状体１２は、第２側縁１０３に引っ掛かった状態になる傾向にある。このため、ループ状の糸状体１２が勢いよく糸掛ボス１５、１６から外れ、これに引かれて一気に糸状体１２が解けてしまうことが防止される。本変形例では、傾斜角度θ１は１７°（ｄｅｇｒｅｅ）に設定され、傾斜角度θ２は４５°に設定されている。なお、各傾斜角度θ１、θ２の大きさは特に限定されるものではなく、要するに、傾斜角度θ１が傾斜角度θ２よりも小さく設定されていればよい。また、図１８において、第２側縁１０３が仮想中心線５８に沿って下方に（糸掛ボス１５から遠ざかる方向に）移動した位置（例えば、図２０において二点鎖線１４４で示される位置）に配置され、第２側縁１０４が仮想中心線５８に沿って上方に（糸掛ボス１６から遠ざかる方向に）移動した位置（例えば、図２０において二点鎖線１４４で示される位置）に配置されていてもよい。このように、第２側縁１０３、１０４が糸掛ボス１５、１６から遠ざかることによって、糸状体１２が解ける際に一定の制動力が作用し、当該ループ状の糸状体１２が解けていくに連れて隣り合うループ状の糸状体１２が引きずられて解けてしまうことが確実に防止される。その結果、幾重にも巻回された糸状体１２は、縺れることなく順番に解ける。
【０１２５】
第１側縁１０１及び第２側縁１０３は、真直な辺部により構成されている必要はない。図１８が示すように、本変形例では、第２側縁１０３は折り曲げられた２つの辺部を備えており、一方の辺部１３６は、上記仮想中心線５８と平行（すなわち傾斜角度θ２＝９０°）である。このように、第１側縁１０１及び第２側縁１０３は、上記傾斜角度がθ１、θ２（但し、０°＜θ１＜９０°、０°＜θ２＜９０°）となる部分を備えていれば十分である。
【０１２６】
このように本変形例に係る糸巻１１は、巻き癖を付けることなく糸状体１２を巻き取ることができるし、糸状体１２が糸巻１１から引き出される際に補助プレート９８、９９等に強く摺動することがない。したがって、補助プレート９８、９９が可撓性を備える必要がなく、補助プレート９８、９９を構成する材料は特に限定される必要がなく、安価な材料が採用され得る。その結果、糸巻１１がコスト安価に製造され、糸状体ユニット１０の製造コストも低減される得る。しかも、上記仮想切断線５７が上記仮想中心線５８から上記距離Ｓの位置に配置されているから、糸状体１２の材質にかかわらず糸状体１２が糸巻１１から円滑に引き出される。すなわち、糸状体１２がナイロン糸、フロロカーボン糸、いわゆるＰＥラインであっても円滑に糸巻１１から引き出される。さらに、本変形例に係る糸状体ユニット１０では、ガイドリング４１が設けられているから、糸状体１２は、より一層円滑に引き出されるという利点がある。
【０１２７】
加えて、本変形例に係る糸状体ユニット１０は、糸巻１１が糸状体１２とは別個に製造され、糸巻１１に対して糸状体１２が巻き付けられる工程、ベースプレート１４が折畳姿勢に姿勢変化される工程及び糸巻１１がケーシング１３に収容される工程を経て完成される。すなわち、糸巻１１のみが予め大量に製造され得るので、部品としての糸巻１１がきわめて安価に製造され得るという利点がある。また、糸状体１２も大量生産され得るものであるから、糸状体ユニット１０の製造コストが一層低減される。しかも、糸巻１１は、前述のように姿勢変化するベースプレート１４を備えているから、糸状体１２が使用された後は、ベースプレート１４が展開姿勢に変化されることにより、再び糸状体１２のみが糸巻１１に巻き付けられる。すなわち、糸巻１１のリサイクルが可能であり、ゴミの発生が抑制される。
【０１２８】
特に本変形例では、図２０及び図２１が示すように、堤部９６、９７が設けられている。糸状体１２は糸掛ボス１５、１６の周りにループ状に幾重にも巻回されており、その剛性により糸掛ボス１５、１６を中心にして外側へ拡がる傾向にある。そのため、糸状体１２が引き出されると、ループ状の糸状体１２が一気に解けてしまうおそれがある。また、前述のように、糸状体１２に撚りが生じないのは、一方の糸掛ボス１５（又は糸掛ボス１６）に巻かれる際に発生する撚りと、他方の糸掛ボス１６（又は糸掛ボス１５）に巻かれる際に発生する撚りとが相殺されるからである。但し、糸状体１２が引き出される場合、一つのループが解けていく際に、糸状体１２が一方の糸掛ボス１５（又は糸掛ボス１６）側から外れた瞬間に撚りが発生する。この撚りは、糸状体１２が他方の糸掛ボス１６（又は糸掛ボス１５）からも外れることによって相殺されるのでるが、この撚りが相殺されるまでに糸状体１２が大きく拡がり、これに引きずられるようにして他のループが補助プレート９８、９９の外側に外れてしまうことがある。これでは、糸状体１２が引き出される際に絡みついてしまうおそれがある。
【０１２９】
しかし、この本変形例に係る糸巻１１では、上記堤部９６、９７が設けられているから、糸状体１２が糸掛ボス１５、１６を中心にして外側へ拡がることはなく、各ループが補助プレート９８、９９から外側へ外れてしまうことが防止される。したがって、糸状体１２の絡みが防止され、糸状体１２が円滑に引き出される。
【０１３０】
堤部９６、９７の高さ寸法は、特に限定されるものではない。本変形例では、図２１が示すように、堤部９６、９７の先端が補助プレート９８、９９に接するように堤部９６、９７の高さ寸法が設定されている。そのため、糸掛ボス１５、１６に巻かれた状態の糸状体１２の拡がりが堤部９６、９７によって確実に防止される。また、糸状体１２が引っ張られると糸状体１２に一定のテンションが発生する。このテンションによって、糸状体１２は堤部９６、９７の先端と補助プレート９８、９９との間をすり抜けて外部に引き出される。また、この堤部９６、９７は突条からなり、糸掛ボス１５、１６を中心とする円弧状に形成されている。これにより、仮に糸状体１２が糸掛ボス１５、１６を中心に外側に拡がろうとしても、堤部９６、９７がループ状の糸状体１２の周囲に均等に当接するから、糸状体１２の拡がりが確実に防止される。
【０１３１】
なお、本変形例では、サイドプレート９４、９５に堤部９６、９７が立設された例が説明されたが、例えば、サイドプレート９４、９５に堤部９６、９７が立設されおらず、一対の補助プレート９８、９９に堤部９６、９７が立設された構成が採用されてもよい。この場合、堤部９６、９７は、補助プレート９８、９９の縁部（例えば、図３０の縁部２５９、２６０に相当する部位）からサイドプレート９８、９９の縁部１２３、１２４に向かって延びている。
【０１３２】
また、本変形例では、ガイドリング４１は、糸掛ボス１５、１６の中心すなわち仮想中心線５８に対してオフセットされている。このオフセット量は、距離ｆであり、本変形例では、仮想切断線５７の位置（距離ｓ）に一致されている。もっとも、距離ｆが距離ｓと異なっていてもよいことは勿論である。糸状体１２はガイドリング４１から引き出されるから、糸状体１２は、ガイドリング４１の方へ引っ張られる。このガイドリング４１は、前述のようにオフセットされているから、糸状体１２は、上記第１側縁１０１をより一層滑らかに移動することができ、しかも、ループ状に形成された糸状体１２は、その周方向に引っ張られることになり、なお一層ストレス無く円滑に引き出される。
【０１３３】
図２３は、本実施形態の第３の変形例に係るベースプレートの平面図である。
【０１３４】
この変形例に係るベースプレート１３７が本実施形態に係るベースプレート１４と異なるところは、上記ベースプレート１４は仮想中心線５８を基準に上下方向に対称に堤部９６、９７が設けられているのに対し、本変形例では、堤部１３８、１３９が仮想中心線５８から下側に延びている点である。このように堤部１３８、１３９が仮想中心線に対して非対称に形成されていても、糸状体１２が糸掛ボス１５、１６を中心にして外側へ拡がることはなく、ループ状の糸状体１２が補助プレート９８、９９から外側へ外れてしまうことが防止される。
【０１３５】
図２４は、本実施形態の第４の変形例に係るベースプレートの平面図であり、図２５は、一部断面側面図である。また、図２６は、図２４におけるXXVI−XXVI断面図である。
【０１３６】
この変形例に係るベースプレート１４２が本実施形態に係るベースプレート１４と異なるところは、サイドプレート９４の側部１４７にも堤部１４０（第２堤部）が設けられており、サイドプレート９５の側部１４８にも堤部１４１（第２堤部）が設けられている点である。
【０１３７】
この堤部１４０、１４１は、サイドプレート９４、９５と一体的に形成されている。堤部１４０、１４１の断面形状は、上記堤部９６、９７と同様であるが、堤部１４０、１４１は、サイドプレート９４、９５に沿って真直に延びている。図２６が示すように、堤部１４０、１４１は三角形状に形成されている。各堤部１４０、１４１は、糸状体１２が巻き取られた後に矢印７５が示す方向に折り曲げられる。これにより、糸状体１２が糸掛ボス１５、１６を中心にして外側へ拡がることがより一層防止される。特に、サイドプレート９４、９５の側部１４７、１４８の方向への糸状体の拡がりが確実に防止される。
【０１３８】
次に、本実施形態の第５の変形例について説明される。
【０１３９】
図２７及び図２８は、本実施形態の第５の変形例に係る糸状体ユニットのベースプレートの平面図及び一部断面側面図である。図２９は、図２７におけるIXXX−矢視図である。図３０は、本実施形態の第５の変形例に係る糸巻の補助プレートの平面図である。図３１は、本実施形態の第５の変形例に係る糸巻の補助プレートの一部断面側面図であり、図３２は、図３１における要部拡大図である。図３３は、本実施形態の第５の変形例に係る糸巻のベースプレート及び補助プレートがケーシングに組み込まれた状態を示す平面図であり、図３４は、一部断面側面図である。
【０１４０】
本変形例に係る糸状体ユニットが上記第２の変形例に係る糸状体ユニットと異なるところは、サイドプレート９４、９５に堤部２５５、２５６（第１堤部）が設けられると共に、補助プレート９８、９９にも堤部２５７、２５８（第３堤部）が設けられている点である。堤部２５５、２５６は、上記第２の変形例及び第３の変形例に係る糸巻と同様に、サイドプレート９４、９５の縁部１２３、１２４から補助プレート９８、９９に向かって延びている（図２７、図２８、図３４参照）。また、堤部２５７、２５８は、補助プレート９８、９９の縁部２５９、２６０からサイドプレート９８、９９の縁部１２３、１２４に向かって延びている（図３０、図３１、図３４参照）。
【０１４１】
補助プレート９８の縁部２５９に上記堤部２５７が設けられている。補助プレート９９の縁部２６０にも上記堤部２５８が設けられている。これら堤部２５７、２５８は同様の形状であり、図３０が示すように左右対称の位置に配置されている。これら堤部２５７、２５８は、熱成形により補助プレート９８、９９と一体的に形成されている。
【０１４２】
堤部２５７は、補助プレート９８の一部が陥没することによって形成されている。同様に、堤部２５８も補助プレート９９の一部が陥没することによって形成されている。補助プレート９８、９９は、サイドプレート９４、９５の内側に配置される（図３４参照）。このため、堤部２５７は、補助プレート９８からサイドプレート９４側に向かって延びており、同様に、堤部２５８は、補助プレート９９からサイドプレート９５側に向かって延びている。
【０１４３】
堤部２５７、２５８は細長の突条からなる。堤部２５７は、糸掛ボス１５の中心を中心として円弧状に形成されている。堤部２５８は、糸掛ボス１６の中心を中心として円弧状に形成されている。堤部２５７は、図３３が示すように、補助プレート９８、９９がサイドプレート９４、９５に嵌め込まれた状態で堤部２５５と隣り合う位置に形成されている。同図では図示されていないが、堤部２５８も堤部２５６と隣り合う位置に形成されている。したがって、堤部２５７、２５８は、それぞれ、円弧状に形成された堤部２５５、２５６と滑らかに連続し、全体として円弧状を呈する。
【０１４４】
図３１、図３２が示すように、堤部２５７、２５８の断面形状は三角形を呈している。堤部２５７は、補助プレート９８からサイドプレート９４に向かって尖った形状となっており、堤部２５８は、補助プレート９９からサイドプレート９５に向かって尖った形状となっている。本実施形態では、堤部２５７及び堤部２５８の先端は、それぞれ、サイドプレート９４及びサイドプレート９５に接触している（図３４参照）。もっとも、堤部２５７、２５８の先端とサイドプレート９４、９５との間に隙間が形成されていてもよい。
【０１４５】
図３５は、図３３におけるXXXV−矢視図である。
【０１４６】
同図が示すように、補助プレート９８、９９がサイドプレート９４、９５に嵌め込まれることにより、堤部２５７と堤部２５５とが隣り合う。同様に、堤部２５８と堤部２５６とが隣り合う。この状態で、堤部２５７の側面２６１と堤部２５５の側面２６２とが対向する。同様に、堤部２５８の側面２６３と、堤部２５６の側面２６４とが対向する。そして、側面２６１及び側面２６２並びに側面２６３及び側面２６４は、それぞれ、サイドプレート９４、９５に直交する方向（同図において上下方向）に対して角度θだけ傾斜している。
【０１４７】
本変形例に係る糸状体ユニットにおいても、前述の実施形態及び各変形例と同様の作用効果を奏する。加えて、本変形例では、次のような作用効果を奏する。
【０１４８】
前述のように、糸状体１２は、ベースプレート１４が展開姿勢にあるときに８の字状に巻き取られるが、その後、ベースプレート１４が折畳姿勢に変化されるときに、糸状体１２は、８の字状から環状に折り畳まれることになる。糸状体１２は、折り畳まれる際にその弾性により拡径する。つまり、糸状体１２が外側に膨らむように変形する傾向にある。もし、上記第２の変形例に係る糸巻のように、サイドプレート９４、８５側から補助プレート９８、９９側へ突出する堤部９６、９７のみが設けられている場合には、堤部９６、９７と補助プレート９８、９９との間から糸状体１２が外側へ外れてしまう可能性がある。しかし、本変形例では、図３４及び図３５が示すように、堤部２５７及び堤部２５８が補助プレート９８、９９側からサイドプレート９４、８５側へ突出すると共に、堤部２５５及び堤部２５６がサイドプレート９４、８５側から補助プレート９８、９９側へ突出しているから、糸状体１２が外側に膨らんだとしても、いずれかの堤部２５５〜２５８が糸状体１２の膨らみを規制して、糸状体１２が外側に移動することを確実に防止する。このことは、糸状体ユニットの組立作業時に糸状体１２が確実に糸巻に保持されること意味し、糸状体ユニットの簡単且つ円滑な組立作業が実現される。
【０１４９】
また、堤部２５７、２５８も堤部２５５、２５６と同様に、その先端がサイドプレート９４、９５に接触している。このため、糸状体１２が拡がって堤部２５５〜２５８を乗り越えて外側へ移動することが一層確実に防止される。ただし、上記実施形態及び各変形例と同様に、釣人が意図的に糸状体１２を引張った場合は、当該糸状体１２に一定のテンションが発生するから、このテンションによって糸状体１２は堤部２５５、２５６と補助プレート９８、９９との間から、あるいは堤部２５７、２５８とサイドプレート９４、９５との間からすり抜けて外部に引き出される。
【０１５０】
さらに、堤部２５７、２５８は、堤部２５５、２５６と同様に、糸掛ボス１５、１６を中心とする円弧状に形成された突条から構成されているので、前述のように、堤部２５７と堤部２５５とが円弧状に滑らかに連続すると共に、堤部２５８と堤部２５６とが円弧状に滑らかに連続する。したがって、仮に糸状体１２が糸掛ボス１５、１６を中心に外側に拡がろうとしても、堤部２５５〜２５８が糸状体１２の周囲に均等に当接するから、糸状体１２の拡がりがより一層確実に防止される。
【０１５１】
特に本変形例では、図３５が示すように、堤部２５７、２５５の各側面２６１、２６２並びに堤部２５８、２５６の各側面２６３、２６４は、それぞれ、前述のように傾斜しているから、側面２６１、２６２の間及び側面２６３、２６４の間から糸状体１２が自然にすり抜けることが防止される。したがって、糸状体１２の拡がりがなお一層防止される。
【符号の説明】
【０１５２】
１０・・・糸状体ユニット
１１・・・糸巻
１２・・・糸状体
１３・・・ケーシング
１４・・・ベースプレート
１５・・・糸掛ボス
１６・・・糸掛ボス
１７・・・補助プレート
１８・・・補助プレート
１９・・・第１境界部位
２０・・・第２境界部位
２２・・・外周面  
２４・・・外周面
２５・・・端面
２６・・・端面
２７・・・円形部
２８・・・脚部
５１・・・糸状体の一端
５２・・・糸状体の他端
５３・・・センタプレート
５４・・・サイドプレート
５５・・・サイドプレート
５７・・・仮想切断線
５８・・・仮想中心線
５９・・・底縁
６０・・・第１側縁
６１・・・第２側縁
６２・・・円弧縁
６３・・・真直縁
６４・・・円形部
６５・・・脚部
６９・・・底縁
７０・・・第１側縁
７２・・・第２側縁
７３・・・真直縁
９１・・・挿通孔
９２・・・ケーシング
９４・・・サイドプレート
９５・・・サイドプレート
９６・・・堤部
９７・・・堤部
９８・・・補助プレート
９９・・・補助プレート
１０１・・・第１側縁
１０２・・・第１側縁
１０３・・・第２側縁
１０４・・・第２側縁
１３７・・・ベースプレート
１３８・・・堤部
１３９・・・堤部
１４０・・・堤部
１４１・・・堤部
１４２・・・ベースプレート
１４７・・・側部
１４８・・・側部
２５５・・・堤部
２５６・・・堤部
２５７・・・堤部
２５８・・・堤部
２６１・・・側面
２６２・・・側面
２６３・・・側面
２６４・・・側面
【図１】
2009201508.tif 000003
【図２】
2009201508.tif 000004
【図３】
2009201508.tif 000005
【図４】
2009201508.tif 000006
【図５】
2009201508.tif 000007
【図６】
2009201508.tif 000008
【図７】
2009201508.tif 000009
【図８】
2009201508.tif 000010
【図９】
2009201508.tif 000011
【図１０】
2009201508.tif 000012
【図１１】
2009201508.tif 000013
【図１２】
2009201508.tif 000014
【図１３】
2009201508.tif 000015
【図１４】
2009201508.tif 000016
【図１５】
2009201508.tif 000017
【図１６】
2009201508.tif 000018
【図１７】
2009201508.tif 000019
【図１８】
2009201508.tif 000020
【図１９】
2009201508.tif 000021
【図２０】
2009201508.tif 000022
【図２１】
2009201508.tif 000023
【図２２】
2009201508.tif 000024
【図２３】
2009201508.tif 000025
【図２４】
2009201508.tif 000026
【図２５】
2009201508.tif 000027
【図２６】
2009201508.tif 000028
【図２７】
2009201508.tif 000029
【図２８】
2009201508.tif 000030
【図２９】
2009201508.tif 000031
【図３０】
2009201508.tif 000032
【図３１】
2009201508.tif 000033
【図３２】
2009201508.tif 000034
【図３３】
2009201508.tif 000035
【図３４】
2009201508.tif 000036
【図３５】
2009201508.tif 000037
【図３６】
2009201508.tif 000038
【図３７】
2009201508.tif 000039
【図３８】
2009201508.tif 000040